(57)【要約】  本願実施例は、情報伝送方法および装置、通信機器を開示し、前記情報伝送方法は、第１ノードが、第１データパケットを第２ノードに送信することを含み、前記第１データパケットは、第１識別情報、第１シーケンス番号情報、第１タイムスタンプ情報のうちの少なくとも１つを運び、ここで、前記第１識別情報は、前記第１データパケットを受信した後に第２データパケットを返信するように第２ノードを指示し、前記第１シーケンス番号情報は、前記第１データパケットを識別するために使用され、前記第１タイムスタンプ情報は、前記第１ノードが前記第１データパケットを送信したときの時間情報を指示する。
2021536167.tif 000002
【特許請求の範囲】
【請求項１】
情報伝送方法であって、
第１ノードが、第１データパケットを第２ノードに送信し、および／または第２ノードによって返信される第２データパケットを受信することを含み、前記第１データパケットは、一方向遅延測定を実行するために使用され、前記第２データパケットは、往復遅延測定を実行するために使用される、前記情報伝送方法。
【請求項２】
前記第１データパケットは、第１識別情報、第２識別情報、第１シーケンス番号情報、第１タイムスタンプ情報のうちの少なくとも１つを運び、前記第１識別情報は、前記第１データパケットが測定用であることを指示し、前記第２識別情報は、前記第１データパケットを受信した後に第２データパケットを返信するように第２ノードを指示し、前記第１シーケンス番号情報は、前記第１データパケットを識別するために使用され、前記第１タイムスタンプ情報は、前記第１ノードが前記第１データパケットを送信したときの時間情報を指示する、
請求項１に記載の情報伝送方法。
【請求項３】
前記第２データパケットは、第１識別情報、第２識別情報、第２シーケンス番号情報、第１タイムスタンプ情報、第２タイムスタンプ情報のうちの少なくとも１つを運び、前記第２シーケンス番号情報は、前記第２データパケットを識別するために使用され、前記第２シーケンス番号情報は、前記第１シーケンス番号情報と同じであるかまたは前記第１シーケンス番号情報と対応関係を有し、前記第２タイムスタンプ情報は、前記第２ノードが前記第２データパケットを前記第１ノードに送信したときの時間情報および／または前記第１ノードから前記第１データパケットを受信したときの時間情報を指示する、
請求項２に記載の情報伝送方法。
【請求項４】
前記第１ノードが前記第２ノードによって送信された前記第２データパケットを受信した後、前記方法は、
前記第１タイムスタンプ情報および第３タイムスタンプ情報に基づいて、前記第１ノードと前記第２ノードとの間の遅延情報を決定することであって、前記第３タイムスタンプ情報は、前記第１ノードが前記第２データパケットを受信したときの時間情報を指示すること、および／または、
前記第１タイムスタンプ情報および第２タイムスタンプ情報、または前記第３タイムスタンプ情報および第２タイムスタンプ情報に基づいて、前記第１ノードと前記第２ノードとの間の遅延情報を決定すること、をさらに含む、
請求項３に記載の情報伝送方法。
【請求項５】
前記第１ノードは第１コアネットワーク要素であり、前記第２ノードは端末であり、
前記第１データパケットで運ばれる情報は、前記第１ノードの第１プロトコル層を介して追加され、前記第１プロトコル層は、ＧＴＰ−Ｕ層の上に配置され、
前記第２データパケットで運ばれる情報は、前記第２ノードの第１プロトコル層を介して追加され、前記第１プロトコル層は、ＳＤＡＰ層の上に配置される、
請求項１ないし４のいずれか一項に記載の情報伝送方法。
【請求項６】
前記第１ノードは端末であり、前記第２ノードは第１コアネットワーク要素であり、
前記第１データパケットで運ばれる情報は、前記第１ノードの第１プロトコル層を介して追加され、前記第１プロトコル層は、ＳＤＡＰ層の上に配置され、
前記第２データパケットで運ばれる情報は、前記第２ノードの第１プロトコル層を介して追加され、前記第１プロトコル層は、ＧＴＰ−Ｕ層の上に配置される、
請求項１ないし４のいずれか一項に記載の情報伝送方法。
【請求項７】
前記第１ノードは第１コアネットワーク要素であり、前記第２ノードは第１アクセスネットワーク要素であり、
前記第１データパケットで運ばれる情報は、前記第１ノードのＧＴＰ−Ｕ層を介して追加され、
前記第２データパケットで運ばれる情報は、前記第２ノードのＧＴＰ−Ｕ層を介して追加される、
請求項１ないし４のいずれか一項に記載の情報伝送方法。
【請求項８】
前記第１ノードは第１アクセスネットワーク要素であり、前記第２ノードは第１コアネットワーク要素であり、
前記第１データパケットで運ばれる情報は、前記第１ノードのＧＴＰ−Ｕ層を介して追加され、
前記第２データパケットで運ばれる情報は、前記第２ノードのＧＴＰ−Ｕ層を介して追加される、
請求項１ないし４のいずれか一項に記載の情報伝送方法。
【請求項９】
前記方法は、
前記第１ノードが、第２コアネットワーク要素から第１ルールを取得し、前記第１ルールに基づいて、測定によって得られた遅延情報および／または第１通知メッセージを報告することをさらに含む、
請求項１ないし８のいずれか一項に記載の情報伝送方法。
【請求項１０】
前記第１ルールは、
前記第１ノードおよび／または前記第２ノードが遅延情報に対する測定動作をトリガするか否かを指示する第１情報、
遅延情報に対する測定動作に対応する測定周期または測定時点を指示する第２情報、
測定動作ごとに測定結果を報告するか否かを指示する第３情報、
遅延が第１遅延閾値を超えることおよび／または遅延が第２遅延閾値より低いことを含む第４情報、
測定によって得られた遅延情報が前記第１遅延閾値を超えるかまたは前記第２遅延閾値より低い場合に、対応する測定結果を報告することを指示する第５情報、のうちの少なくとも１つの情報を含む、
請求項９に記載の情報伝送方法。
【請求項１１】
前記第１ルールの少なくとも１つの情報は、動的な方式または静的な方式で前記第１ノードに送信され、
前記動的な方式とは、前記第１ノードが前記第１ルールの少なくとも１つの情報の完全なコンテンツを受信することを意味し、
前記静的な方式とは、前記第１ノードが前記第１ルールの少なくとも１つの情報と第１指示情報との間の対応関係を記憶し、前記第１ノードが第１指示情報を受信し、前記第１指示情報に基づいて前記第１ルールの少なくとも１つの情報を決定することを意味する、
請求項１０に記載の情報伝送方法。
【請求項１２】
前記第１指示情報は、ＱｏＳパラメータに含まれる、
請求項１１に記載の情報伝送方法。
【請求項１３】
前記第１指示情報は、ＱｏＳパラメータの５ＱＩパラメータである、
請求項１２に記載の情報伝送方法。
【請求項１４】
前記第１ノードが第１コアネットワーク要素である場合、
前記第１ノードは、Ｎ４インターフェースを介して、測定によって得られた遅延情報および／または第１通知メッセージを前記第２コアネットワーク要素および／または前記第３コアネットワーク要素に報告し、前記第１通知メッセージは、測定動作が前記第１ルールの少なくとも１つを満たさないことを通知するために使用される、
請求項９ないし１３のいずれか一項に記載の情報伝送方法。
【請求項１５】
前記第１ノードが端末である場合、
前記第１ノードは、測定によって得られた遅延情報および／または第１通知メッセージをＮＡＳメッセージの第１コンテナで搬送し、Ｎ１インターフェースを介して第２コアネットワーク要素に報告し、または、
前記第１ノードは、測定によって得られた遅延情報および／または第１通知メッセージをＮＡＳメッセージで搬送し、第２コアネットワーク要素に報告し、または、
前記第１ノードは、測定によって得られた遅延情報および／または第１通知メッセージをユーザプレーンデータパケットで搬送し、第１コアネットワーク要素に報告し、
前記第１通知メッセージは、測定動作が前記第１ルールの少なくとも１つを満たさないことを通知するために使用される、
請求項９ないし１３のいずれか一項に記載の情報伝送方法。
【請求項１６】
前記ユーザプレーンデータパケットは、第１データフローデータパケットおよび／または前記第２データパケットを含む、
請求項１５に記載の情報伝送方法。
【請求項１７】
前記第１ノードが第１アクセスネットワーク要素である場合、
前記第１ノードは、測定によって得られた遅延情報および／または第１通知メッセージを、第１コアネットワーク要素または第２コアネットワーク要素に直接報告し、前記第１通知メッセージは、測定動作が前記第１ルールの少なくとも１つを満たさないことを通知するために使用される、
請求項９ないし１３のいずれか一項に記載の情報伝送方法。
【請求項１８】
前記第１ノードは、測定によって得られた遅延情報および／または第１通知メッセージを、コントロールプレーンデータパケットを介して第２コアネットワーク要素に報告し、または、
前記第１ノードは、測定によって得られた遅延情報および／または第１通知メッセージを、ユーザプレーンデータパケットを介して第１コアネットワーク要素に報告する、
請求項１７に記載の情報伝送方法。
【請求項１９】
情報伝送方法であって、
第１ノードが、第１アクセスネットワーク要素を介して第１データパケットを第２ノードに送信し、および／または前記第１アクセスネットワーク要素を介して、第２ノードによって返信される第２データパケットを受信することを含み、前記第１データパケットは、一方向伝送遅延測定を実行するために使用され、前記第２データパケットは、往復伝送遅延測定を実行するために使用される、前記情報伝送方法。
【請求項２０】
前記第１ノードと前記第１アクセスネットワーク要素との間で伝送される第１データパケットは、第１識別情報、第２識別情報、第１シーケンス番号情報、第１タイムスタンプ情報のうちの少なくとも１つを運び、前記第１アクセスネットワーク要素と前記第２ノードとの間で伝送される第１データパケットは、第１識別情報、第２識別情報、第１シーケンス番号情報、第１タイムスタンプ情報、第２タイムスタンプ情報のうちの少なくとも１つを運び、
前記第１識別情報は、前記第１データパケットが測定用であることを指示し、前記第２識別情報は、前記第１データパケットを受信した後に第２データパケットを返信するように前記第２ノードを指示し、前記第１シーケンス番号情報は、前記第１データパケットを識別するために使用され、前記第１タイムスタンプ情報は、前記第１ノードが前記第１データパケットを送信したときの時間情報を指示し、前記第２タイムスタンプ情報は、前記第１アクセスネットワーク要素が前記第１ノードから前記第１データパケットを受信したときの時間情報および／または前記第１データパケットを前記第２ノードに送信したときの時間情報を指示する、
請求項１９に記載の情報伝送方法。
【請求項２１】
前記第２ノードと前記第１アクセスネットワーク要素との間で伝送される第２データパケットは、第１識別情報、第２識別情報、第２シーケンス番号情報、第１タイムスタンプ情報、第２タイムスタンプ情報、第３タイムスタンプ情報のうちの少なくとも１つを運び、前記第１アクセスネットワーク要素と前記第１ノードとの間で伝送される第２データパケットは、第１識別情報、第２識別情報、第２シーケンス番号情報、第１タイムスタンプ情報、第２タイムスタンプ情報、第３タイムスタンプ情報、第４タイムスタンプ情報のうちの少なくとも１つを運び、
前記第２シーケンス番号情報は、前記第２データパケットを識別するために使用され、前記第２シーケンス番号情報は、前記第１シーケンス番号情報と同じであるかまたは前記第１シーケンス番号情報と対応関係を有し、前記第３タイムスタンプ情報は、前記第２ノードが前記第２データパケットを前記第１アクセスネットワーク要素に送信したときの時間情報および／または前記第１アクセスネットワーク要素から前記第１データパケットを受信したときの時間情報を指示し、前記第４タイムスタンプ情報は、前記第１アクセスネットワーク要素が前記第２データパケットを前記第１ノードに送信したときの時間情報および／または前記第２ノードから前記第２データパケットを受信したときの時間情報を指示する、
請求項２０に記載の情報伝送方法。
【請求項２２】
前記第１ノードが前記第１アクセスネットワーク要素によって送信された前記第２データパケットを受信した後、前記方法は、
前記第１タイムスタンプ情報および第５タイムスタンプ情報に基づいて、前記第１ノードと前記第２ノードとの間の遅延情報を決定することであって、前記第５タイムスタンプ情報は、前記第１ノードが前記第２データパケットを受信したときの時間情報を指示すること、および／または、
前記第１タイムスタンプ情報および第３タイムスタンプ情報、または前記第５タイムスタンプ情報および第３タイムスタンプ情報に基づいて、前記第１ノードと前記第２ノードとの間の遅延情報を決定すること、および／または、
前記第２タイムスタンプ情報および第３タイムスタンプ情報、または前記第３タイムスタンプ情報および前記第４タイムスタンプ情報に基づいて、前記第２ノードと前記第１アクセスネットワーク要素との間の遅延情報を決定すること、および／または、
前記第１タイムスタンプ情報および第２タイムスタンプ情報、または前記第４タイムスタンプ情報および前記第５タイムスタンプ情報に基づいて、前記第１ノードと前記第１アクセスネットワーク要素との間の遅延情報を決定すること、をさらに含む、
請求項２１に記載の情報伝送方法。
【請求項２３】
前記第１ノードは第１コアネットワーク要素であり、前記第２ノードは端末であり、
前記第１ノードと前記第１アクセスネットワーク要素との間で伝送される、前記第１データパケットで運ばれる情報は、前記第１ノードのＧＴＰ−Ｕ層を介して追加され、
前記第１アクセスネットワーク要素と前記第２ノードとの間で伝送される、前記第１データパケットで運ばれる情報は、前記第１アクセスネットワーク要素のＳＤＡＰ層および／またはＰＤＣＰ層を介して追加され、
前記第２ノードと前記第１アクセスネットワーク要素との間で伝送される、前記第２データパケットで運ばれる情報は、前記第２ノードのＳＤＡＰ層および／またはＰＤＣＰ層を介して追加され、
前記第１アクセスネットワーク要素と前記第１ノードとの間で伝送される、前記第２データパケットで運ばれる情報は、前記第１アクセスネットワーク要素のＧＴＰ−Ｕ層を介して追加される、
請求項１９ないし２２のいずれか一項に記載の情報伝送方法。
【請求項２４】
前記第１ノードは端末であり、前記第２ノードは第１コアネットワーク要素であり、
前記第１ノードと前記第１アクセスネットワーク要素との間で伝送される、前記第１データパケットで運ばれる情報は、前記第１ノードのＳＤＡＰ層および／またはＰＤＣＰ層を介して追加され、
前記第１アクセスネットワーク要素と前記第２ノードとの間で伝送される、前記第１データパケットで運ばれる情報は、前記第１アクセスネットワーク要素のＧＴＰ−Ｕ層を介して追加され、
前記第２ノードと前記第１アクセスネットワーク要素との間で伝送される、前記第２データパケットで運ばれる情報は、前記第２ノードのＧＴＰ−Ｕ層を介して追加され、
前記第１アクセスネットワーク要素と前記第１ノードとの間で伝送される、前記第２データパケットで運ばれる情報は、前記第１アクセスネットワーク要素のＳＤＡＰ層および／またはＰＤＣＰ層を介して追加される、
請求項１９ないし２２のいずれか一項に記載の情報伝送方法。
【請求項２５】
前記方法は、
前記第１ノードが、第２コアネットワーク要素から第１ルールを取得し、前記第１ルールに基づいて、測定によって得られた遅延情報および／または第１通知メッセージを報告することをさらに含む、
請求項１９ないし２４のいずれか一項に記載の情報伝送方法。
【請求項２６】
前記第１ルールは、
前記第１ノードおよび／または前記第２ノードが遅延情報に対する測定動作をトリガするか否かを指示する第１情報、
遅延情報に対する測定動作に対応する測定周期または測定時点を指示する第２情報、
測定動作ごとに測定結果を報告するか否かを指示する第３情報、
遅延が第１遅延閾値を超えることおよび／または遅延が第２遅延閾値より低いことを含む第４情報、
測定によって得られた遅延情報が前記第１遅延閾値を超えるかまたは前記第２遅延閾値より低い場合に、対応する測定結果を報告することを指示する第５情報、のうちの少なくとも１つの情報を含む、
請求項２５に記載の情報伝送方法。
【請求項２７】
前記第１ルールの少なくとも１つの情報は、動的な方式または静的な方式で前記第１ノードに送信され、
前記動的な方式とは、前記第１ノードが前記第１ルールの少なくとも１つの情報の完全なコンテンツを受信することを意味し、
前記静的な方式とは、前記第１ノードが前記第１ルールの少なくとも１つの情報と第１指示情報との間の対応関係を記憶し、前記第１ノードが第１指示情報を受信し、前記第１指示情報に基づいて前記第１ルールの少なくとも１つの情報を決定することを意味する、
請求項２６に記載の情報伝送方法。
【請求項２８】
前記第１指示情報は、ＱｏＳパラメータに含まれる、
請求項２７に記載の情報伝送方法。
【請求項２９】
前記第１指示情報は、ＱｏＳパラメータの５ＱＩパラメータである、
請求項２８に記載の情報伝送方法。
【請求項３０】
前記第１ノードが第１コアネットワーク要素である場合、
前記第１ノードは、Ｎ４インターフェースを介して、測定によって得られた遅延情報および／または第１通知メッセージを前記第２コアネットワーク要素および／または前記第３コアネットワーク要素に報告し、前記第１通知メッセージは、測定動作が前記第１ルールの少なくとも１つを満たさないことを通知するために使用される、
請求項２５ないし２９のいずれか一項に記載の情報伝送方法。
【請求項３１】
前記第１ノードが端末である場合、
前記第１ノードは、測定によって得られた遅延情報および／または第１通知メッセージをＮＡＳメッセージの第１コンテナで搬送し、Ｎ１インターフェースを介して第２コアネットワーク要素に報告し、または、
前記第１ノードは、測定によって得られた遅延情報および／または第１通知メッセージをＮＡＳメッセージで搬送し、第２コアネットワーク要素に報告し、または、
前記第１ノードは、測定によって得られた遅延情報および／または第１通知メッセージをユーザプレーンデータパケットで搬送し、第１コアネットワーク要素に報告し、
前記第１通知メッセージは、測定動作が前記第１ルールの少なくとも１つを満たさないことを通知するために使用される、
請求項２５ないし２９のいずれか一項に記載の情報伝送方法。
【請求項３２】
前記ユーザプレーンデータパケットは、第１データフローデータパケットおよび／または前記第２データパケットを含む、
請求項３１に記載の情報伝送方法。
【請求項３３】
前記第１アクセスネットワーク要素は、測定によって得られた遅延情報および／または第１通知メッセージを、第１コアネットワーク要素または第２コアネットワーク要素に直接報告し、前記第１通知メッセージは、測定動作が前記第１ルールの少なくとも１つを満たさないことを通知するために使用される、
請求項２５ないし２９のいずれか一項に記載の情報伝送方法。
【請求項３４】
前記第１アクセスネットワーク要素は、測定によって得られた遅延情報および／または第１通知メッセージを、コントロールプレーンデータパケットを介して第２コアネットワーク要素に報告し、または、
前記第１アクセスネットワーク要素は、測定によって得られた遅延情報および／または第１通知メッセージを、ユーザプレーンデータパケットを介して第１コアネットワーク要素に報告する、
請求項３３に記載の情報伝送方法。
【請求項３５】
前記第１ノードが端末であり、前記第２ノードが第１コアネットワーク要素である場合、
前記第１ノードは、ユーザプレーンを介して遅延情報および／または第１通知メッセージを前記第２ノードに送信し、前記第２ノードは、前記遅延情報および／または第１通知メッセージを第２コアネットワーク要素および／または第３コアネットワーク要素に送信する、
請求項２５ないし２９のいずれか一項に記載の情報伝送方法。
【請求項３６】
前記遅延情報および／または第１通知メッセージを搬送するデータパケットは、第２指示情報を含み、前記第２ノードは、前記第２指示情報を取得した後、前記遅延情報および／または第１通知メッセージを第２コアネットワーク要素および／または第３コアネットワーク要素に送信する、
請求項３５に記載の情報伝送方法。
【請求項３７】
前記遅延情報および／または第１通知メッセージを搬送するデータパケットは、第１データフローおよび／またはＰＤＵセッションを介して伝送され、前記第２ノードは、前記第１データフローおよび／またはＰＤＵセッションを介して伝送されるデータパケット内の情報を、第２コアネットワーク要素および／または第３コアネットワーク要素に送信する、
請求項３５に記載の情報伝送方法。
【請求項３８】
情報伝送方法であって、
第１ノードが、第２ノードによって送信される第１情報を受信し、前記第１情報に基づいて伝送遅延要件を決定することを含み、前記伝送遅延要件は、伝送遅延に対する上限要件および／または下限要件を含む、前記情報伝送方法。
【請求項３９】
前記第１ノードが、第２ノードによって送信される第１情報を受信することは、
前記第１ノードが、第２ノードからの伝送遅延要件を受信すること、または、
前記第１ノードが、前記伝送遅延要件と第１指示パラメータとの間の対応関係を記憶し、前記第１ノードが、前記第１指示パラメータを受信した後、前記第１指示パラメータに対応する伝送遅延要件を決定することを含む、
請求項３８に記載の情報伝送方法。
【請求項４０】
前記第２ノードは第１コアネットワーク要素であり、前記第１ノードは端末または第１アクセスネットワーク要素である、
請求項３９に記載の情報伝送方法。
【請求項４１】
前記伝送要件および／または第１指示パラメータとＱｏＳルールは、前記第２ノードによって一緒に前記第１ノードに送信される、
請求項３９または４０に記載の情報伝送方法。
【請求項４２】
前記方法は、
前記第１ノードが、遅延情報が前記伝送遅延要件を満たさないと決定した場合、前記第２ノードに通知することをさらに含む、
請求項３９ないし４１のいずれか一項に記載の情報伝送方法。
【請求項４３】
情報伝送装置であって、第１ノードに適用され、
第１データパケットを第２ノードに送信し、および／または第２ノードによって返信される第２データパケットを受信するように構成される伝送ユニットを備え、前記第１データパケットは、一方向遅延測定を実行するために使用され、前記第２データパケットは、往復遅延測定を実行するために使用される、前記情報伝送装置。
【請求項４４】
前記第１データパケットは、第１識別情報、第２識別情報、第１シーケンス番号情報、第１タイムスタンプ情報のうちの少なくとも１つを運び、前記第１識別情報は、前記第１データパケットが測定用であることを指示し、前記第２識別情報は、前記第１データパケットを受信した後に第２データパケットを返信するように第２ノードを指示し、前記第１シーケンス番号情報は、前記第１データパケットを識別するために使用され、前記第１タイムスタンプ情報は、前記第１ノードが前記第１データパケットを送信したときの時間情報を指示する、
請求項４３に記載の情報伝送装置。
【請求項４５】
前記第２データパケットは、第１識別情報、第２識別情報、第２シーケンス番号情報、第１タイムスタンプ情報、第２タイムスタンプ情報のうちの少なくとも１つを運び、前記第２シーケンス番号情報は、前記第２データパケットを識別するために使用され、前記第２シーケンス番号情報は、前記第１シーケンス番号情報と同じであるかまたは前記第１シーケンス番号情報と対応関係を有し、前記第２タイムスタンプ情報は、前記第２ノードが前記第２データパケットを前記第１ノードに送信したときの時間情報および／または前記第１ノードから前記第１データパケットを受信したときの時間情報を指示する、
請求項４４に記載の情報伝送装置。
【請求項４６】
前記装置は、
前記第１タイムスタンプ情報および第３タイムスタンプ情報に基づいて、前記第１ノードと前記第２ノードとの間の遅延情報を決定し、および／または、前記第１タイムスタンプ情報および第２タイムスタンプ情報、または前記第３タイムスタンプ情報および第２タイムスタンプ情報に基づいて、前記第１ノードと前記第２ノードとの間の遅延情報を決定するように構成される処理ユニットをさらに備え、前記第３タイムスタンプ情報は、前記第１ノードが前記第２データパケットを受信したときの時間情報を指示する、
請求項４５に記載の情報伝送装置。
【請求項４７】
前記第１ノードは第１コアネットワーク要素であり、前記第２ノードは端末であり、
前記第１データパケットで運ばれる情報は、前記第１ノードの第１プロトコル層を介して追加され、前記第１プロトコル層は、ＧＴＰ−Ｕ層の上に配置され、
前記第２データパケットで運ばれる情報は、前記第２ノードの第１プロトコル層を介して追加され、前記第１プロトコル層は、ＳＤＡＰ層の上に配置される、
請求項４３ないし４６のいずれか一項に記載の情報伝送装置。
【請求項４８】
前記第１ノードは端末であり、前記第２ノードは第１コアネットワーク要素であり、
前記第１データパケットで運ばれる情報は、前記第１ノードの第１プロトコル層を介して追加され、前記第１プロトコル層は、ＳＤＡＰ層の上に配置され、
前記第２データパケットで運ばれる情報は、前記第２ノードの第１プロトコル層を介して追加され、前記第１プロトコル層は、ＧＴＰ−Ｕ層の上に配置される、
請求項４３ないし４６のいずれか一項に記載の情報伝送装置。
【請求項４９】
前記第１ノードは第１コアネットワーク要素であり、前記第２ノードは第１アクセスネットワーク要素であり、
前記第１データパケットで運ばれる情報は、前記第１ノードのＧＴＰ−Ｕ層を介して追加され、
前記第２データパケットで運ばれる情報は、前記第２ノードのＧＴＰ−Ｕ層を介して追加される、
請求項４３ないし４６のいずれか一項に記載の情報伝送装置。
【請求項５０】
前記第１ノードは第１アクセスネットワーク要素であり、前記第２ノードは第１コアネットワーク要素であり、
前記第１データパケットで運ばれる情報は、前記第１ノードのＧＴＰ−Ｕ層を介して追加され、
前記第２データパケットで運ばれる情報は、前記第２ノードのＧＴＰ−Ｕ層を介して追加される、
請求項４３ないし４６のいずれか一項に記載の情報伝送装置。
【請求項５１】
前記装置はさらに、
第２コアネットワーク要素から第１ルールを取得するように構成される取得ユニットと、
前記第１ルールに基づいて、測定によって得られた遅延情報および／または第１通知メッセージを報告するように構成される報告ユニットと、を備える、
請求項４３ないし５０のいずれか一項に記載の情報伝送装置。
【請求項５２】
前記第１ルールは、
前記第１ノードおよび／または前記第２ノードが遅延情報に対する測定動作をトリガするか否かを指示する第１情報、
遅延情報に対する測定動作に対応する測定周期または測定時点を指示する第２情報、
測定動作ごとに測定結果を報告するか否かを指示する第３情報、
遅延が第１遅延閾値を超えることおよび／または遅延が第２遅延閾値より低いことを含む第４情報、
測定によって得られた遅延情報が前記第１遅延閾値を超えるかまたは前記第２遅延閾値より低い場合に、対応する測定結果を報告することを指示する第５情報、のうちの少なくとも１つの情報を含む、
請求項５１に記載の情報伝送装置。
【請求項５３】
前記第１ルールの少なくとも１つの情報は、動的な方式または静的な方式で前記第１ノードに送信され、
前記動的な方式とは、前記第１ノードが前記第１ルールの少なくとも１つの情報の完全なコンテンツを受信することを意味し、
前記静的な方式とは、前記第１ノードが前記第１ルールの少なくとも１つの情報と第１指示情報との間の対応関係を記憶し、前記第１ノードが第１指示情報を受信し、前記第１指示情報に基づいて前記第１ルールの少なくとも１つの情報を決定することを意味する、
請求項５２に記載の情報伝送装置。
【請求項５４】
前記第１指示情報は、ＱｏＳパラメータに含まれる、
請求項５３に記載の情報伝送装置。
【請求項５５】
前記第１指示情報は、ＱｏＳパラメータの５ＱＩパラメータである、
請求項５４に記載の情報伝送装置。
【請求項５６】
前記第１ノードが第１コアネットワーク要素である場合、
前記報告ユニットは、Ｎ４インターフェースを介して、測定によって得られた遅延情報および／または第１通知メッセージを前記第２コアネットワーク要素および／または前記第３コアネットワーク要素に報告し、前記第１通知メッセージは、測定動作が前記第１ルールの少なくとも１つを満たさないことを通知するために使用される、
請求項５１ないし５５のいずれか一項に記載の情報伝送装置。
【請求項５７】
前記第１ノードが端末である場合、
前記報告ユニットは、測定によって得られた遅延情報および／または第１通知メッセージをＮＡＳメッセージの第１コンテナで搬送し、Ｎ１インターフェースを介して第２コアネットワーク要素に報告し、または、
前記報告ユニットは、測定によって得られた遅延情報および／または第１通知メッセージをＮＡＳメッセージで搬送し、第２コアネットワーク要素に報告し、または、
前記報告ユニットは、測定によって得られた遅延情報および／または第１通知メッセージをユーザプレーンデータパケットで搬送し、第１コアネットワーク要素に報告し、
前記第１通知メッセージは、測定動作が前記第１ルールの少なくとも１つを満たさないことを通知するために使用される、
請求項５１ないし５５のいずれか一項に記載の情報伝送装置。
【請求項５８】
前記ユーザプレーンデータパケットは、第１データフローデータパケットおよび／または前記第２データパケットを含む、
請求項５７に記載の情報伝送装置。
【請求項５９】
前記第１ノードが第１アクセスネットワーク要素である場合、
前記報告ユニットは、測定によって得られた遅延情報および／または第１通知メッセージを、第１コアネットワーク要素または第２コアネットワーク要素に直接報告し、前記第１通知メッセージは、測定動作が前記第１ルールの少なくとも１つを満たさないことを通知するために使用される、
請求項５１ないし５５のいずれか一項に記載の情報伝送装置。
【請求項６０】
前記報告ユニットは、測定によって得られた遅延情報および／または第１通知メッセージを、コントロールプレーンデータパケットを介して第２コアネットワーク要素に報告し、または、
前記報告ユニットは、測定によって得られた遅延情報および／または第１通知メッセージを、ユーザプレーンデータパケットを介して第１コアネットワーク要素に報告する、
請求項５９に記載の情報伝送装置。
【請求項６１】
情報伝送装置であって、第１ノードに適用され、
第１アクセスネットワーク要素を介して第１データパケットを第２ノードに送信し、および／または前記第１アクセスネットワーク要素を介して、第２ノードによって返信される第２データパケットを受信するように構成される伝送ユニットを備え、前記第１データパケットは、一方向伝送遅延測定を実行するために使用され、前記第２データパケットは、往復伝送遅延測定を実行するために使用される、前記情報伝送装置。
【請求項６２】
前記第１ノードと前記第１アクセスネットワーク要素との間で伝送される第１データパケットは、第１識別情報、第２識別情報、第１シーケンス番号情報、第１タイムスタンプ情報のうちの少なくとも１つを運び、前記第１アクセスネットワーク要素と前記第２ノードとの間で伝送される第１データパケットは、第１識別情報、第２識別情報、第１シーケンス番号情報、第１タイムスタンプ情報、第２タイムスタンプ情報のうちの少なくとも１つを運び、
前記第１識別情報は、前記第１データパケットが測定用であることを指示し、前記第２識別情報は、前記第１データパケットを受信した後に第２データパケットを返信するように前記第２ノードを指示し、前記第１シーケンス番号情報は、前記第１データパケットを識別するために使用され、前記第１タイムスタンプ情報は、前記第１ノードが前記第１データパケットを送信したときの時間情報を指示し、前記第２タイムスタンプ情報は、前記第１アクセスネットワーク要素が前記第１ノードから前記第１データパケットを受信したときの時間情報および／または前記第１データパケットを前記第２ノードに送信したときの時間情報を指示する、
請求項６１に記載の情報伝送装置。
【請求項６３】
前記第２ノードと前記第１アクセスネットワーク要素との間で伝送される第２データパケットは、第１識別情報、第２識別情報、第２シーケンス番号情報、第１タイムスタンプ情報、第２タイムスタンプ情報、第３タイムスタンプ情報のうちの少なくとも１つを運び、前記第１アクセスネットワーク要素と前記第１ノードとの間で伝送される第２データパケットは、第１識別情報、第２識別情報、第２シーケンス番号情報、第１タイムスタンプ情報、第２タイムスタンプ情報、第３タイムスタンプ情報、第４タイムスタンプ情報のうちの少なくとも１つを運び、
前記第２シーケンス番号情報は、前記第２データパケットを識別するために使用され、前記第２シーケンス番号情報は、前記第１シーケンス番号情報と同じであるかまたは前記第１シーケンス番号情報と対応関係を有し、前記第３タイムスタンプ情報は、前記第２ノードが前記第２データパケットを前記第１アクセスネットワーク要素に送信したときの時間情報および／または前記第１アクセスネットワーク要素から前記第１データパケットを受信したときの時間情報を指示し、前記第４タイムスタンプ情報は、前記第１アクセスネットワーク要素が前記第２データパケットを前記第１ノードに送信したときの時間情報および／または前記第２ノードから前記第２データパケットを受信したときの時間情報を指示する、
請求項６２に記載の情報伝送装置。
【請求項６４】
前記装置はさらに、
前記第１タイムスタンプ情報および第５タイムスタンプ情報に基づいて、前記第１ノードと前記第２ノードとの間の遅延情報を決定し、および／または、前記第１タイムスタンプ情報および第３タイムスタンプ情報、または前記第５タイムスタンプ情報および第３タイムスタンプ情報に基づいて、前記第１ノードと前記第２ノードとの間の遅延情報を決定し、および／または、前記第２タイムスタンプ情報および第３タイムスタンプ情報、または前記第３タイムスタンプ情報および前記第４タイムスタンプ情報に基づいて、前記第２ノードと前記第１アクセスネットワーク要素との間の遅延情報を決定し、および／または、前記第１タイムスタンプ情報および第２タイムスタンプ情報、または前記第４タイムスタンプ情報および前記第５タイムスタンプ情報に基づいて、前記第１ノードと前記第１アクセスネットワーク要素との間の遅延情報を決定するように構成される前記処理ユニットを備え、前記第５タイムスタンプ情報は、前記第１ノードが前記第２データパケットを受信したときの時間情報を指示する、
請求項６３に記載の情報伝送装置。
【請求項６５】
前記第１ノードは第１コアネットワーク要素であり、前記第２ノードは端末であり、
前記第１ノードと前記第１アクセスネットワーク要素との間で伝送される、前記第１データパケットで運ばれる情報は、前記第１ノードのＧＴＰ−Ｕ層を介して追加され、
前記第１アクセスネットワーク要素と前記第２ノードとの間で伝送される、前記第１データパケットで運ばれる情報は、前記第１アクセスネットワーク要素のＳＤＡＰ層および／またはＰＤＣＰ層を介して追加され、
前記第２ノードと前記第１アクセスネットワーク要素との間で伝送される、前記第２データパケットで運ばれる情報は、前記第２ノードのＳＤＡＰ層および／またはＰＤＣＰ層を介して追加され、
前記第１アクセスネットワーク要素と前記第１ノードとの間で伝送される、前記第２データパケットで運ばれる情報は、前記第１アクセスネットワーク要素のＧＴＰ−Ｕ層を介して追加される、
請求項６１ないし６４のいずれか一項に記載の情報伝送装置。
【請求項６６】
前記第１ノードは端末であり、前記第２ノードは第１コアネットワーク要素であり、
前記第１ノードと前記第１アクセスネットワーク要素との間で伝送される、前記第１データパケットで運ばれる情報は、前記第１ノードのＳＤＡＰ層および／またはＰＤＣＰ層を介して追加され、
前記第１アクセスネットワーク要素と前記第２ノードとの間で伝送される、前記第１データパケットで運ばれる情報は、前記第１アクセスネットワーク要素のＧＴＰ−Ｕ層を介して追加され、
前記第２ノードと前記第１アクセスネットワーク要素との間で伝送される、前記第２データパケットで運ばれる情報は、前記第２ノードのＧＴＰ−Ｕ層を介して追加され、
前記第１アクセスネットワーク要素と前記第１ノードとの間で伝送される、前記第２データパケットで運ばれる情報は、前記第１アクセスネットワーク要素のＳＤＡＰ層および／またはＰＤＣＰ層を介して追加される、
請求項６１ないし６４のいずれか一項に記載の情報伝送装置。
【請求項６７】
前記装置はさらに、
第２コアネットワーク要素から第１ルールを取得するように構成される取得ユニットと、
前記第１ルールに基づいて、測定によって得られた遅延情報および／または第１通知メッセージを報告するように構成される報告ユニットと、を備える、
請求項６１ないし６６のいずれか一項に記載の情報伝送装置。
【請求項６８】
前記第１ルールは、
前記第１ノードおよび／または前記第２ノードが遅延情報に対する測定動作をトリガするか否かを指示する第１情報、
遅延情報に対する測定動作に対応する測定周期または測定時点を指示する第２情報、
測定動作ごとに測定結果を報告するか否かを指示する第３情報、
遅延が第１遅延閾値を超えることおよび／または遅延が第２遅延閾値より低いことを含む第４情報、
測定によって得られた遅延情報が前記第１遅延閾値を超えるかまたは前記第２遅延閾値より低い場合に、対応する測定結果を報告することを指示する第５情報、のうちの少なくとも１つの情報を含む、
請求項６７に記載の情報伝送装置。
【請求項６９】
前記第１ルールの少なくとも１つの情報は、動的な方式または静的な方式で前記第１ノードに送信され、
前記動的な方式とは、前記第１ノードが前記第１ルールの少なくとも１つの情報の完全なコンテンツを受信することを意味し、
前記静的な方式とは、前記第１ノードが前記第１ルールの少なくとも１つの情報と第１指示情報との間の対応関係を記憶し、前記第１ノードが第１指示情報を受信し、前記第１指示情報に基づいて前記第１ルールの少なくとも１つの情報を決定することを意味する、
請求項６８に記載の情報伝送装置。
【請求項７０】
前記第１指示情報は、ＱｏＳパラメータに含まれる、
請求項６９に記載の情報伝送装置。
【請求項７１】
前記第１指示情報は、ＱｏＳパラメータの５ＱＩパラメータである、
請求項７０に記載の情報伝送装置。
【請求項７２】
前記第１ノードが第１コアネットワーク要素である場合、
前記報告ユニットは、Ｎ４インターフェースを介して、測定によって得られた遅延情報および／または第１通知メッセージを前記第２コアネットワーク要素および／または前記第３コアネットワーク要素に報告し、前記第１通知メッセージは、測定動作が前記第１ルールの少なくとも１つを満たさないことを通知するために使用される、
請求項６７ないし７１のいずれか一項に記載の情報伝送装置。
【請求項７３】
前記第１ノードが端末である場合、
前記報告ユニットは、測定によって得られた遅延情報および／または第１通知メッセージをＮＡＳメッセージの第１コンテナで搬送し、Ｎ１インターフェースを介して第２コアネットワーク要素に報告し、または、
前記報告ユニットは、測定によって得られた遅延情報および／または第１通知メッセージをＮＡＳメッセージで搬送し、第２コアネットワーク要素に報告し、または、
前記報告ユニットは、測定によって得られた遅延情報および／または第１通知メッセージをユーザプレーンデータパケットで搬送し、第１コアネットワーク要素に報告し、
前記第１通知メッセージは、測定動作が前記第１ルールの少なくとも１つを満たさないことを通知するために使用される、
請求項６７ないし７１のいずれか一項に記載の情報伝送装置。
【請求項７４】
前記ユーザプレーンデータパケットは、第１データフローデータパケットおよび／または前記第２データパケットを含む、
請求項７３に記載の情報伝送装置。
【請求項７５】
前記第１アクセスネットワーク要素は、測定によって得られた遅延情報および／または第１通知メッセージを、第１コアネットワーク要素または第２コアネットワーク要素に直接報告し、前記第１通知メッセージは、測定動作が前記第１ルールの少なくとも１つを満たさないことを通知するために使用される、
請求項６７ないし７１のいずれか一項に記載の情報伝送装置。
【請求項７６】
前記第１アクセスネットワーク要素は、測定によって得られた遅延情報および／または第１通知メッセージを、コントロールプレーンデータパケットを介して第２コアネットワーク要素に報告し、または、
前記第１アクセスネットワーク要素は、測定によって得られた遅延情報および／または第１通知メッセージを、ユーザプレーンデータパケットを介して第１コアネットワーク要素に報告する、
請求項７５に記載の情報伝送装置。
【請求項７７】
前記第１ノードが端末であり、前記第２ノードが第１コアネットワーク要素である場合、
前記報告ユニットは、ユーザプレーンを介して遅延情報および／または第１通知メッセージを前記第２ノードに送信し、前記第２ノードは、前記遅延情報および／または第１通知メッセージを第２コアネットワーク要素および／または第３コアネットワーク要素に送信する、
請求項６７ないし７１のいずれか一項に記載の情報伝送装置。
【請求項７８】
前記遅延情報および／または第１通知メッセージを搬送するデータパケットは、第２指示情報を含み、前記第２ノードは、前記第２指示情報を取得した後、前記遅延情報および／または第１通知メッセージを第２コアネットワーク要素および／または第３コアネットワーク要素に送信する、
請求項７７に記載の情報伝送装置。
【請求項７９】
前記遅延情報および／または第１通知メッセージを搬送するデータパケットは、第１データフローおよび／またはＰＤＵセッションを介して伝送され、前記第２ノードは、前記第１データフローおよび／またはＰＤＵセッションを介して伝送されるデータパケット内の情報を、第２コアネットワーク要素および／または第３コアネットワーク要素に送信する、
請求項７７に記載の情報伝送装置。
【請求項８０】
情報伝送装置であって、第１ノードに適用され、
第２ノードによって送信される第１情報を受信し、前記第１情報に基づいて伝送遅延要件を決定するように構成される決定ユニットを備え、前記伝送遅延要件は、伝送遅延に対する上限要件および／または下限要件を含む、前記情報伝送装置。
【請求項８１】
前記決定ユニットは、第２ノードからの伝送遅延要件を受信するように構成され、または前記伝送遅延要件と第１指示パラメータとの間の対応関係を記憶し、前記第１指示パラメータを受信した後、前記第１指示パラメータに対応する伝送遅延要件を決定するように構成される、
請求項８０に記載の情報伝送装置。
【請求項８２】
前記第２ノードは第１コアネットワーク要素であり、前記第１ノードは端末または第１アクセスネットワーク要素である、
請求項８１に記載の情報伝送装置。
【請求項８３】
前記伝送要件および／または第１指示パラメータとＱｏＳルールは、前記第２ノードによって一緒に前記第１ノードに送信される、
請求項８１または８２に記載の情報伝送装置。
【請求項８４】
前記装置はさらに、
遅延情報が前記伝送遅延要件を満たさないと決定した場合、前記第２ノードに通知するように構成される通知ユニットを備える、
請求項８１ないし８３のいずれか一項に記載の情報伝送装置。
【請求項８５】
情報伝送方法であって、
第１ノードが、コアネットワークから第１情報を取得することであって、前記第１情報は、第１遅延閾値および第２遅延閾値を決定するために使用されることと、
前記第１ノードが、前記第１ノードと第２ノードとの間の伝送遅延が前記第１遅延閾値と前記第２遅延閾値との間にあるように制御することと、を含む、前記情報伝送方法。
【請求項８６】
前記第１情報は、第１遅延オフセットおよび第２遅延オフセットを含み、前記第１遅延閾値は、前記第１遅延オフセットおよび基準遅延情報に基づいて決定され、前記第２遅延閾値は、前記第２遅延オフセットおよび基準遅延情報に基づいて決定される、
請求項８５に記載の情報伝送方法。
【請求項８７】
ＰＤＵセッションの確立または変更中に、前記第１ノードは、第２コアネットワーク要素によって送信される第１遅延閾値および／または第２遅延閾値を受信する、
請求項８５または８６に記載の情報伝送方法。
【請求項８８】
前記第１ノードは、第１アクセスネットワーク要素または端末である、
請求項８５ないし８７のいずれか一項に記載の情報伝送方法。
【請求項８９】
情報伝送装置であって、第１ノードに適用され、
コアネットワークから第１情報を取得するように構成される取得ユニットであって、前記第１情報は、第１遅延閾値および第２遅延閾値を決定するために使用される、取得ユニットと、
前記第１ノードと第２ノードとの間の伝送遅延が前記第１遅延閾値と前記第２遅延閾値との間にあるように制御するように構成される処理ユニットと、を備える、前記情報伝送装置。
【請求項９０】
前記第１情報は、第１遅延オフセットおよび第２遅延オフセットを含み、前記第１遅延閾値は、前記第１遅延オフセットおよび基準遅延情報に基づいて決定され、前記第２遅延閾値は、前記第２遅延オフセットおよび基準遅延情報に基づいて決定される、
請求項８９に記載の情報伝送装置。
【請求項９１】
前記取得ユニットは、ＰＤＵセッションの確立または変更中に、第２コアネットワーク要素によって送信される第１遅延閾値および／または第２遅延閾値を受信するように構成される、
請求項８９または９０に記載の情報伝送装置。
【請求項９２】
前記第１ノードは、第１アクセスネットワーク要素または端末である、
請求項８９ないし９１のいずれか一項に記載の情報伝送装置。
【請求項９３】
通信機器てあって、プロセッサとメモリとを備え、前記メモリは、コンピュータプログラムを記憶するように構成され、前記プロセッサは、前記メモリに記憶されたコンピュータプログラムを呼び出して実行することにより、請求項１ないし１８のいずれか一項に記載の方法、または請求項１９ないし３７のいずれか一項に記載の方法、または請求項３８ないし４２のいずれか一項に記載の方法、または請求項８５ないし８８のいずれか一項に記載の方法を実行するように構成される、前記通信機器。
【請求項９４】
チップであって、プロセッサを備え、前記プロセッサは、メモリからコンピュータプログラムを呼び出して実行することにより、前記チップを実装した機器に、請求項１ないし１８のいずれか一項に記載の方法、または請求項１９ないし３７のいずれか一項に記載の方法、または請求項３８ないし４２のいずれか一項に記載の方法、または請求項８５ないし８８のいずれか一項に記載の方法を実行させるように構成される、前記チップ。
【請求項９５】
コンピュータ可読記憶媒体であって、コンピュータプログラムを記憶するように構成され、前記コンピュータプログラムは、コンピュータに、請求項１ないし１８のいずれか一項に記載の方法、または請求項１９ないし３７のいずれか一項に記載の方法、または請求項３８ないし４２のいずれか一項に記載の方法、または請求項８５ないし８８のいずれか一項に記載の方法を実行させるように構成される、前記コンピュータ可読記憶媒体。
【請求項９６】
コンピュータプログラム製品であって、コンピュータプログラム命令を含み、前記コンピュータプログラム命令は、コンピュータに、請求項１ないし１８のいずれか一項に記載の方法、または請求項１９ないし３７のいずれか一項に記載の方法、または請求項３８ないし４２のいずれか一項に記載の方法、または請求項８５ないし８８のいずれか一項に記載の方法を実行させるように構成される、前記コンピュータプログラム製品。
【請求項９７】
コンピュータプログラムであって、前記コンピュータプログラムは、コンピュータに、請求項１ないし１８のいずれか一項に記載の方法、または請求項１９ないし３７のいずれか一項に記載の方法、または請求項３８ないし４２のいずれか一項に記載の方法、または請求項８５ないし８８のいずれか一項に記載の方法を実行させるように構成される、前記コンピュータプログラム。
【発明の詳細な説明】
【技術分野】
【０００１】
本願実施例は、移動通信技術分野に関し、具体的には、情報伝送方法および装置、通信機器に関するものである。
【背景技術】
【０００２】
超高信頼・低遅延通信（ＵＲＬＬＣ：Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎ）は、将来の重要な通信方法であり、エンドツーエンドの通信遅延要件は、通常、ミリ秒レベルである。ＵＲＬＬ伝送遅延は、主に２つの部分、即ち、エアインターフェース伝送遅延およびコアネットワーク伝送遅延で構成され、コアネットワークから外部ネットワークへの伝送遅延は、一般に定義されていない。ただし、遅延の測定において、最も価値のある且つ最も実用的な方法は、端末とコアネットワーク間の遅延のみを測定することであり、端末とコアネットワーク間の遅延を正確に測定する方法は、解決すべき問題である。
【発明の概要】
【発明が解決しようとする課題】
【０００３】
本願実施例は、情報伝送方法および装置、通信機器を提供する。
【課題を解決するための手段】
【０００４】
本願実施例で提供される情報伝送方法は、
第１ノードが、第１データパケットを第２ノードに送信し、および／または第２ノードによって返信される第２データパケットを受信することを含み、前記第１データパケットは、一方向遅延測定を実行するために使用され、前記第２データパケットは、往復遅延測定を実行するために使用される。
【０００５】
本願実施例で提供される情報伝送方法は、
第１ノードが、第１アクセスネットワーク要素を介して第１データパケットを第２ノードに送信し、および／または前記第１アクセスネットワーク要素を介して、第２ノードによって返信される第２データパケットを受信することを含み、前記第１データパケットは、一方向伝送遅延測定を実行するために使用され、前記第２データパケットは、往復伝送遅延測定を実行するために使用される。
【０００６】
本願実施例で提供される情報伝送方法は、
第１ノードが、第２ノードによって送信される第１情報を受信し、前記第１情報に基づいて伝送遅延要件を決定することを含み、前記伝送遅延要件は、伝送遅延に対する上限要件および／または下限要件を含む。
【０００７】
本願実施例で提供される情報伝送装置は、第１ノードに適用され、前記装置は、
第１データパケットを第２ノードに送信し、および／または第２ノードによって返信される第２データパケットを受信するように構成される伝送ユニットを備え、前記第１データパケットは、一方向遅延測定を実行するために使用され、前記第２データパケットは、往復遅延測定を実行するために使用される。
【０００８】
本願実施例で提供される情報伝送装置は、第１ノードに適用され、前記装置は、
第１アクセスネットワーク要素を介して第１データパケットを第２ノードに送信し、および／または前記第１アクセスネットワーク要素を介して、第２ノードによって返信される第２データパケットを受信するように構成される伝送ユニットを備え、前記第１データパケットは、一方向伝送遅延測定を実行するために使用され、前記第２データパケットは、往復伝送遅延測定を実行するために使用される。
【０００９】
本願実施例で提供される情報伝送装置は、第１ノードに適用され、前記装置は、
第２ノードによって送信される第１情報を受信し、前記第１情報に基づいて伝送遅延要件を決定するように構成される決定ユニットを備え、前記伝送遅延要件は、伝送遅延に対する上限要件および／または下限要件を含む。
【００１０】
本願実施例で提供される情報伝送方法は、
第１ノードが、コアネットワークから第１情報を取得することであって、前記第１情報は、第１遅延閾値および第２遅延閾値を決定するために使用されることと、
前記第１ノードが、前記第１ノードと第２ノードとの間の伝送遅延が前記第１遅延閾値と前記第２遅延閾値との間にあるように制御することと、を含む。
【００１１】
本願実施例で提供される情報伝送装置は、
コアネットワークから第１情報を取得するように構成される取得ユニットであって、前記第１情報は、第１遅延閾値および第２遅延閾値を決定するために使用される、取得ユニットと、
前記第１ノードと第２ノードとの間の伝送遅延が前記第１遅延閾値と前記第２遅延閾値との間にあるように制御するように構成される処理ユニットと、を備える。
【００１２】
本願実施例で提供される通信機器、プロセッサとメモリとを備える。前記メモリは、コンピュータプログラムを記憶するように構成され、前記プロセッサは、前記メモリに記憶されたコンピュータプログラムを呼び出して実行することにより、上記の情報伝送方法を実行するように構成される。
【００１３】
本願実施例で提供されるチップは、上記の情報伝送方法を実現するように構成される。
【００１４】
具体的には、前記チップは、プロセッサを備え、前記プロセッサは、メモリからコンピュータプログラム呼び出して実行することにより、前記チップを実装した機器に、上記の情報伝送方法を実行させるように構成される。
【００１５】
本願実施例で提供されるコンピュータ可読記憶媒体は、コンピュータプログラムを記憶するように構成され、前記コンピュータプログラムは、コンピュータに、上記の情報伝送方法を実行させるように構成される。
【００１６】
本願実施例で提供されるコンピュータプログラム製品は、コンピュータプログラム命令を含み、前記コンピュータプログラム命令は、コンピュータに、上記の情報伝送方法を実行させるように構成される。
【００１７】
本願実施例で提供されるコンピュータプログラムは、コンピュータで実行されることにより、コンピュータに、上記の情報伝送方法を実行させるように構成される。
【発明の効果】
【００１８】
本願実施例の技術的解決策によれば、端末とコアネットワークとの間に新しいプロトコル層（即ち、第１プロトコル層）を確立し、前記プロトコル層の情報を介して遅延測定を完了し、または、基地局と端末との間で、ＳＤＡＰ層および／またはＰＤＣＰ層プロトコルを拡張し、前記プロトコル層の情報を介して遅延測定を完了する。これにより、異なるパスの遅延を動的に測定することができる。
【図面の簡単な説明】
【００１９】
ここで説明される添付の図面は、本願を一層理解させるためのものであり、本願の一部を構成する。本願の例示的な実施例及びその説明は、本願を解釈するためのものであり、本願を不適切に限定するものではない。
【図１】本願実施例による通信システムのアーキテクチャを示す概略図である。
【図２】本願実施例による遅延を示す概略図である。
【図３】本願実施例による情報伝送方法を示す第１の例示的なフローチャートである。
【図４】本願実施例によるユーザプレーンプロトコルスタックを示す第１の概略図である。
【図５】本願実施例による情報伝送方法を示す第２の例示的なフローチャートである。
【図６】本願実施例による情報伝送方法を示す第３の例示的なフローチャートである。
【図７】本願実施例によるユーザプレーンプロトコルスタックを示す第２の概略図である。
【図８】本願実施例による情報伝送方法を示す第４の例示的なフローチャートである。
【図９】本願実施例による情報伝送方法を示す第５の例示的なフローチャートである。
【図１０】本願実施例による情報伝送装置の構成を示す第１の概略図である。
【図１１】本願実施例による情報伝送装置の構成を示す第２の概略図である。
【図１２】本願実施例による通信機器を示す例示的な構造図である。
【図１３】本願実施例によるチップを示す例示的な構造図である。
【図１４】本願実施例による通信システムを示す例示的なブロック図である。
【発明を実施するための形態】
【００２０】
以下、本願実施例における添付の図面を参照して、本願実施例における技術的解決策を説明するが、明らかに、説明される実施例は、本願実施例の一部であるが、すべての実施例ではない。本願実施例に基づいて、創造的な努力なしに当業者によって得られる他のすべての実施例は、本願の保護範囲に含まれるものとする。
【００２１】
本願実施例における技術的解決策は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割二重化（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システムまたは５Ｇシステムなどの様々な通信システムに適用されることができる。
【００２２】
例示的に、図１は、本願実施例が適用される通信システム１００を示す。前記通信システム１００は、ネットワーク機器１１０を含み得、ネットワーク機器１１０は、端末機器１２０（または通信端末、端末と称する）と通信する機器であってもよい。ネットワーク機器１１０は、特定の地理的エリアに通信カバレッジを提供することができ、前記カバレッジエリア内に位置する端末機器と通信することができる。例示的に、前記ネットワーク機器１１０は、ＧＳＭシステムまたはＣＤＭＡシステムの基地局（ＢＴＳ：Ｂａｓｅ  Ｔｒａｎｓｃｅｉｖｅｒ  Ｓｔａｔｉｏｎ）、またはＷＣＤＭＡシステムの基地局（ＮＢ：ＮｏｄｅＢ）、またはＬＴＥシステムの進化型基地局（ｅＮＢまたはｅＮｏｄｅＢ：Ｅｖｏｌｕｔｉｏｎａｌ  Ｎｏｄｅ  Ｂ）、またはクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、または、前記ネットワーク機器は、モバイルスイッチングセンタ、リレーステーション、アクセスポイント、車載機器、ウェアラブル機器、ハブ、スイッチ、ブリッジ、ルータ、５Ｇネットワークのネットワーク側の機器、または将来進化する公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００２３】
前記通信システム１００は、ネットワーク機器１１０のカバレッジエリア内に位置する少なくとも１つの端末機器１２０をさらに含む。本明細書で使用される「端末機器」は、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ：Ｄｉｇｉｔａｌ  Ｓｕｂｓｃｒｉｂｅｒ  Ｌｉｎｅ）、デジタルケーブル、直接ケーブルなどの有線回線を介して、および／または別のデータ接続／ネットワークを介して、および／またはセルラーネットワーク、無線ローカルエリアネットワーク（ＷＬＡＮ：Ｗｉｒｅｌｅｓｓ  Ｌｏｃａｌ  Ａｒｅａ  Ｎｅｔｗｏｒｋ）、ＤＶＢ−Ｈネットワークのようなデジタルテレビネットワーク、衛星ネットワーク、ＡＭ−ＦＭブロードキャスト送信機など、無線インターフェースを介して、および／または別の端末機器の装置を介して、通信信号を送受信するように構成された装置、および／またはモノのインターネット（ＩｏＴ）機器を含むが、これらに限定されない。無線インターフェースを介して通信するように構成された端末機器は、「無線通信端末」、「無線端末」または「モバイル端末」と呼ばれることができる。モバイル端末は、例えば、衛星電話または携帯電話、セルラー無線電話とデータ処理、ファックスおよびデータ通信能力を組み合わせることができるパーソナル通信システム（ＰＣＳ：  Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットアクセス、Ｗｅｂブラウザ、メモ帳、カレンダおよび／またはグローバルポジショニングシステム（ＧＰＳ：Ｇｌｏｂａｌ  Ｐｏｓｉｔｉｏｎｉｎｇ  Ｓｙｓｔｅｍ）受信器を含むことができるＰＤＡ、および従来のラップトップ型および／またはハンドヘルド型受信器または無線電話トランシーバを含む他の電子装置であってもよいが、これらに限定されない。端末機器は、アクセス端末、ユーザ機器（ＵＥ：Ｕｓｅｒ  Ｅｑｕｉｐｍｅｎｔ）、ユーザユニット、加入者局、移動局、移動コンソール、遠隔局、遠隔端末、モバイルデバイス、ユーザ端末、端末、無線通信デバイス、ユーザエージェント、またはユーザ装置を指し得る。アクセス端末は、携帯電話、コードレス電話、セッション開始プロトコル（ＳＩＰ：Ｓｅｓｓｉｏｎ  Ｉｎｉｔｉａｔｉｏｎ  
Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を備えたハンドヘルドデバイス、コンピューティングデバイスまたは無線モデムに接続されたその他の処理デバイス、車載デバイス、ウェアラブルデバイスおよび５Ｇネットワークの端末機器または将来進化するＰＬＭＮにおける端末機器などであり得る。
【００２４】
例示的に、端末機器１２０間で装置対装置（Ｄ２Ｄ：Ｄｅｖｉｃｅ  ｔｏ  Ｄｅｖｉｃｅ）通信を実行してもよい。
【００２５】
例示的に、５Ｇシステムまたは５Ｇネットワークは、ニューラジオ（ＮＲ：Ｎｅｗ  Ｒａｄｉｏ）システムまたはＮＲネットワークと呼ばれることもできる。
【００２６】
図１は、１つのネットワーク機器および２つの端末機器を例示的に示す。例示的に、前記通信システム１００は、複数のネットワーク機器を含んでもよく、各ネットワーク機器のカバレッジエリアは、他の数の端末機器を含んでもよいが、本願実施例はこれを限定するものではない。
【００２７】
例示的に、前記通信システム１００は、ネットワークコントローラ、モバイル管理エンティティなどの他のネットワークエンティティをさらに含んでもよいが、本願実施例はこれを限定するものではない。
【００２８】
本願実施例では、ネットワーク／システムにおける通信機能を備えた機器は、通信機器と呼ばれてもよいことを理解されたい。図１に示される通信システム１００を例にとると、通信機器は、通信機能を備えたネットワーク機器１１０および端末機器１２０を含むことができ、ネットワーク機器１１０および端末機器１２０は、上記の特定の機器であってもよく、ここでは繰り返して説明しない。通信機器は、ネットワークコントローラ、モバイル管理エンティティなどの他のネットワークエンティティなど、通信システム１００における他の機器をさらに含んでもよいが、本願実施例はこれを限定するものではない。
【００２９】
本明細書における「システム」および「ネットワーク」という用語は、本明細書で常に互換的に使用されることを理解されたい。本明細書における「および／または」という用語は、関連するオブジェクトを説明する単なる関連付け関係であり、３つの関係が存在できることを示し、例えば、Ａおよび／またはＢは、Ａが単独で存在する、ＡとＢが同時に存在する、Ｂが単独で存在するという３つのケースを示すことができる。さらに、本明細書における記号「／」は、通常、関連するオブジェクトが「または」の関係にあることを示す。
【００３０】
本願実施例の技術的解決策の理解を容易にするために、以下では、本願実施例に係る関連技術について説明する。
【００３１】
図２を参照すると、ＵＲＬＬ伝送遅延は、主に２つの部分、即ち、エアインターフェース伝送遅延ｔ１およびコアネットワーク伝送遅延ｔ２で構成され、コアネットワークから外部ネットワークへの伝送遅延は、一般に定義されない。
【００３２】
現在、ＵＲＬＬＣ伝送遅延は、通常、１ｍｓ、５ｍｓ、１０ｍｓなどのミリ秒レベルである。エアインターフェースの遅延ｔ１は、現在、１ｍｓ、１０ｍｓなどと指定されているが、コアネットワークの伝送遅延は、１ｍｓ、２ｍｓ、５ｍｓなどを含む。これから、エアインターフェース遅延は一般に異なるレベルがあり、１ｍｓ、１．１ｍｓ、１．２ｍｓなどに柔軟に指定されていないことが分かる。例えば、ＵＲＬＬＣの伝送遅延が５ｍｓであり、ｔ２＝４ｍｓである場合、ｔ１は１ｍｓである必要があるが、ｔ２が３．５ｍｓである場合、ｔ１の要件を１．５ｍｓに延長できる。ただし、エアインターフェースの伝送遅延が１ｍｓまたは１０ｍｓであり、１．５ｍｓの遅延を保証できないため、このような想定は、エアインターフェイスの設計にはあまり意味がない。
【００３３】
上記の特性によれば、遅延の測定において、最も価値のある且つ最も実用的な方法は、ｔ１およびｔ２を測定せずに、ＵＥとコアネットワーク間の遅延のみを測定することである。これは、ｔ１およびｔ２を具体的に測定すると、次のような２つの問題があるためである。
【００３４】
１、前の段落で述べたように、ｔ１の要件を１ｍｓ未満延長しても、エアインターフェース遅延は、依然として１ｍｓの要件に準拠する必要がある。
【００３５】
２、測定は追加の処理をもたらし、測定の精度を損なう可能性がある。測定中、基地局は、測定されたデータパケットに対して追加の処理（タイムスタンプの添付、前のタイムスタンプと現在の時刻の差を計算するなど）を実行する必要がある。さらに、非常に厳密な時間同期が必要であり、これを実現するのは困難である。
【００３６】
ＵＲＬＬＣ自体の遅延は非常に小さい（ミリ秒レベル）ため、任意の追加の処理やわずかな誤差は、測定の精度と値に影響を与える。
【００３７】
一般に、ＣＮゲートウェイからＵＥまでの遅延を計算する方法は、次のような２つの方法がある。
【００３８】
１、ＣＮゲートウェイが、データパケットをＵＥに送信し、前記データパケットの一回往復の時間を測定する。そうすると、ｔ＝往復遅延／２である。
【００３９】
２、ＣＮゲートウェイが、データパケットを送信するとき、タイムスタンプｔ０１を添付し、ＵＥは、データパケットを受信したときの時間ｔ０２に従って、ｔ＝ｔ０２−ｔ０１を計算する。
【００４０】
遅延ｔ２は通常、１ｍｓ、２ｍｓ、５ｍｓなどの固定値に設定されるため、ｔ１＝ｔ／設定されたｔ２、またはｔ１＝Ｔ１（ＵＰＦタイムスタンプ）−Ｔ２（ＵＥタイムスタンプ）を簡単に計算すればよい。このようにして、遅延ｔ１に質的な変化があるか否かを推定でき、ｔ１が１ミリ秒未満変化した場合、ＲＡＮ側の何の変更も必要としない。
【００４１】
図３は、本願実施例による情報伝送方法を示す第１の例示的なフローチャートであり、図３に示されるように、前記情報伝送方法は、以下のステップを含む。
【００４２】
ステップ３０１において、第１ノードが、第１データパケットを第２ノードに送信し、前記第１データパケットは、一方向遅延測定を実行するために使用され、および／または第２ノードによって返信される第２データパケットを受信し、前記第２データパケットは、往復遅延測定を実行するために使用される。
【００４３】
本願実施例において、第１ノードおよび第２ノードの実施形態は以下の通りであり得る。
【００４４】
（１）第１ノードは第１コアネットワーク要素であり、第２ノードは端末である。
【００４５】
（２）第１ノードは端末であり、第２ノードは第１コアネットワーク要素である。
【００４６】
（３）第１ノードは第１コアネットワーク要素であり、第２ノードは第１アクセスネットワーク要素である。
【００４７】
（４）第１ノードは第１アクセスネットワーク要素であり、第２ノードは第１コアネットワーク要素である。
【００４８】
本願実施例において、各ネットワーク要素の物理的機能として５Ｇ通信システムを例にとると、第１コアネットワーク要素はＵＰＦを指し、第２コアネットワーク要素はＳＭＦを指し、第３コアネットワーク要素はＰＣＦを指し、第４コアネットワーク要素はＡＭＦを指す。
【００４９】
本願実施例において、前記第１データパケットは、第１識別情報、第２識別情報、第１シーケンス番号情報、第１タイムスタンプ情報のうちの少なくとも１つを運び、ここで、前記第１識別情報は、前記第１データパケットが測定用であることを指示し、前記第２識別情報は、前記第１データパケットを受信した後に第２データパケットを返信するように第２ノードを指示し、前記第１シーケンス番号情報は、前記第１データパケットを識別するために使用され、前記第１タイムスタンプ情報は、前記第１ノードが前記第１データパケットを送信したときの時間情報を指示する。
【００５０】
本願実施例において、前記第１シーケンス番号情報は、例えば、異なるデータパケットを区別するために使用されるＳＮである。
【００５１】
本願実施例において、第１ノードによって第２ノードに送信される第１データパケットは、第１識別情報および／または第２識別情報を運ぶことができ、第２ノードは、第１データパケットを受信した後、第１識別情報を識別し、前記第１データパケットが測定用であると見なし、第２識別情報を識別した場合、すぐに第２データパケットを返信し、第１ノードは、第１データパケットを送信したときの第１タイムスタンプ情報および第２データパケットを受信したときの第３タイムスタンプ情報に従って、２つのノード間の往復遅延情報を計算でき、往復遅延情報を２で除算して、一方向遅延情報を取得することができる。
【００５２】
本願実施例において、第１ノードによって第２ノードに送信される第１データパケットは、第１シーケンス番号情報を運ぶことができ、第１シーケンス番号情報の機能は、第１データパケットを識別することであり得、同時に、第１シーケンス番号情報は、第１識別情報と同じ機能を有することもでき、第２ノードは、第１データパケットを受信した後、第１シーケンス番号情報を識別した場合、すぐに第２データパケットを返信し、第１ノードは、第１データパケットを送信したときの第１タイムスタンプ情報および第２データパケットを受信したときの第３タイムスタンプ情報に従って、２つのノード間の往復遅延情報計算でき、往復遅延情報を２で除算して、一方向遅延情報を取得することができる。
【００５３】
本願実施例において、第１ノードによって第２ノードに送信される第１データパケットは、第１データパケットを送信したときの第１タイムスタンプ情報を運ぶことができ、第２ノードは、第１データパケットを受信した後、第１データパケットを送信したときの第１タイムスタンプ情報および第１データパケットを受信したときの第２タイムスタンプ情報に従って、２つのノード間の一方向遅延情報を計算することができる。
【００５４】
本願実施例において、第１ノードによって第２ノードに送信される第１データパケットは、上記の３つの情報のうちの任意の１つまたは複数を運ぶことができる。
【００５５】
一実施形態において、前記第２データパケットは、第１識別情報、第２識別情報、第２シーケンス番号情報、第１タイムスタンプ情報、第２タイムスタンプ情報のうちの少なくとも１つを運び、ここで、前記第２シーケンス番号情報は、前記第２データパケットを識別するために使用され、前記第２シーケンス番号情報は、前記第１シーケンス番号情報と同じであるかまたは前記第１シーケンス番号情報と対応関係を有し、前記第２タイムスタンプ情報は、前記第２ノードが前記第２データパケットを前記第１ノードに送信したときの時間情報および／または前記第１ノードから前記第１データパケットを受信したときの時間情報を指示する。
【００５６】
本願実施例において、第２ノードによって第１ノードに送信される第２データパケットは、上記の３つの情報のうちの任意の１つまたは複数を運ぶことができる。
【００５７】
一実施形態において、前記第１ノードが前記第２ノードによって送信された前記第２データパケットを受信した後、前記方法は、
前記第１タイムスタンプ情報および第３タイムスタンプ情報に基づいて、前記第１ノードと前記第２ノードとの間の遅延情報を決定することであって、前記第３タイムスタンプ情報は、前記第１ノードが前記第２データパケットを受信したときの時間情報を指示すること、および／または、
前記第１タイムスタンプ情報および第２タイムスタンプ情報、または前記第３タイムスタンプ情報および第２タイムスタンプ情報に基づいて、前記第１ノードと前記第２ノードとの間の遅延情報を決定すること、をさらに含む。
【００５８】
以下では、第１ノードおよび第２ノードの異なる実施形態と組み合わせて、第１データパケットおよび第２データパケットの情報がどのように運ばれるかを説明する。
【００５９】
（１）前記第１ノードは第１コアネットワーク要素であり、前記第２ノードは端末であり、
前記第１データパケットで運ばれる情報は、前記第１ノードの第１プロトコル層を介して追加され、前記第１プロトコル層は、ＧＴＰ−Ｕ層の上に配置され、
前記第２データパケットで運ばれる情報は、前記第２ノードの第１プロトコル層を介して追加され、前記第１プロトコル層は、ＳＤＡＰ層の上に配置される。
【００６０】
図４を参照すると、第１プロトコル層は新しいプロトコル層であり、前記第１データパケットは、５Ｇ−ＡＮを介して透過的に送信される。すなわち、５Ｇ−ＡＮは、前記第１データパケットの新しいプロトコル層を認識しない。
【００６１】
（２）前記第１ノードは端末であり、前記第２ノードは第１コアネットワーク要素であり、
前記第１データパケットで運ばれる情報は、前記第１ノードの第１プロトコル層を介して追加され、前記第１プロトコル層は、ＳＤＡＰ層の上に配置され、
前記第２データパケットで運ばれる情報は、前記第２ノードの第１プロトコル層を介して追加され、前記第１プロトコル層は、ＧＴＰ−Ｕ層の上に配置される。
【００６２】
図４を参照すると、第１プロトコル層は新しいプロトコル層であり、前記第１データパケットは、５Ｇ−ＡＮを介して透過的に送信される。すなわち、５Ｇ−ＡＮは、前記第１データパケットの新しいプロトコル層を認識しない。
【００６３】
（３）前記第１ノードは第１コアネットワーク要素であり、前記第２ノードは第１アクセスネットワーク要素であり、
前記第１データパケットで運ばれる情報は、前記第１ノードのＧＴＰ−Ｕ層を介して追加され、
前記第２データパケットで運ばれる情報は、前記第２ノードのＧＴＰ−Ｕ層を介して追加される。
【００６４】
（４）前記第１ノードは第１アクセスネットワーク要素であり、前記第２ノードは第１コアネットワーク要素であり、
前記第１データパケットで運ばれる情報は、前記第１ノードのＧＴＰ−Ｕ層を介して追加され、
前記第２データパケットで運ばれる情報は、前記第２ノードのＧＴＰ−Ｕ層を介して追加される。
【００６５】
図４を参照すると、ＵＥおよび５Ｇ−ＡＮ側のアクセス層プロトコルは、上から下への順に、ＳＤＡＰ層、ＰＤＣＰ層、ＲＬＣ層、ＭＡＣ層、およびＰＨＹ層を含む。
【００６６】
本願実施例の技術的解決策は、前記第１ノードが、第２コアネットワーク要素から第１ルールを取得し、前記第１ルールに基づいて、測定によって得られた遅延情報および／または第１通知メッセージを報告することをさらに含む。ここで、前記第２コアネットワーク要素側の前記第１ルールは、第３コアネットワーク要素によって前記第２コアネットワーク要素に通知されたもの、または前記第２コアネットワーク要素によって事前に構成されたものである。
【００６７】
ここで、前記第１ルールは、
前記第１ノードおよび／または前記第２ノードが遅延情報に対する測定動作をトリガするか否か、例えば、ＵＰＦおよび／またはＵＥが測定動作をトリガするか否かなどを指示する第１情報、
遅延情報に対する測定動作に対応する測定周期または測定時点を指示する第２情報、
測定動作ごとに測定結果を報告するか否かを指示する第３情報、
遅延が第１遅延閾値を超えることおよび／または遅延が第２遅延閾値より低いことを含む第４情報、
測定によって得られた遅延情報が前記第１遅延閾値を超えるかまたは前記第２遅延閾値より低い場合に、対応する測定結果を報告することを指示する第５情報、のうちの少なくとも１つの情報を含む。
【００６８】
本願実施例において、前記第１ルールの少なくとも１つの情報は、動的な方式または静的な方式で前記第１ノードに送信され、
ここで、前記動的な方式とは、前記第１ノードが前記第１ルールの少なくとも１つの情報の完全なコンテンツを受信することを意味し、例えば、前記第１ノードは、ＱｏＳルールおよび前記第１ルールの少なくとも１つの情報を一緒に受信する。
【００６９】
前記静的な方式とは、前記第１ノードが前記第１ルールの少なくとも１つの情報と第１指示情報との間の対応関係を記憶し、前記第１ノードが第１指示情報を受信し、前記第１指示情報に基づいて前記第１ルールの少なくとも１つの情報を決定することを意味する。
【００７０】
さらに、前記第１指示情報は、ＱｏＳパラメータに含まれ、第２ノードは、ＰＤＵセッションの確立および／または更新プロセスを介して、前記第１指示情報を前記第１ノードに送信する。例えば、前記第１指示情報は、ＱｏＳパラメータの５ＱＩパラメータである。例えば、ＱｏＳパラメータが基地局およびＵＥに配信される場合、ＱｏＳパラメータの５ＱＩ＝３であり、すなわち、エンドツーエンドの遅延は５０ｍｓであり、前記パラメータに対応するｊｉｔｔｅｒ（第４／５情報）は［−３ｍｓ，＋５ｍｓ］である。すなわち、前記エンドツーエンドの遅延（ＵＰＦとＵＥとの間の遅延）は、（５０−３）ｍｓ以上、且つ（５０＋５）ｍｓ以下である。
【００７１】
（１）前記第１ノードが第１コアネットワーク要素である場合、
前記第１ノードは、Ｎ４インターフェースを介して、測定によって得られた遅延情報および／または第１通知メッセージを前記第２コアネットワーク要素および／または前記第３コアネットワーク要素に報告し、前記第１通知メッセージは、測定動作が前記第１ルールの少なくとも１つを満たさないことを通知するために使用される。例えば、前記第１通知メッセージは、測定によって得られた遅延情報が第１遅延閾値を超えることまたは第２遅延閾値より低いことを通知するために使用される。
【００７２】
具体的には、ＵＰＦは、Ｎ４インターフェースを介して、遅延情報および／または第１通知メッセージをＳＭＦに報告し、その後、ＳＭＦは、前記遅延情報および／または第１通知メッセージをＰＣＦに報告するか否かを決定する。
【００７３】
（２）前記第１ノードが端末である場合、
前記第１ノードは、測定によって得られた遅延情報および／または第１通知メッセージをＮＡＳメッセージの第１コンテナで搬送し、Ｎ１インターフェースを介して第２コアネットワーク要素に報告し、または、
前記第１ノードは、測定によって得られた遅延情報および／または第１通知メッセージをＮＡＳメッセージで搬送し、第２コアネットワーク要素に報告し、ここで、第２コアネットワーク要素はＳＭＦであり、ＳＭＦは、遅延情報および／または第１通知メッセージをＰＣＦ転送に伝送でき、または、
前記第１ノードは、測定によって得られた遅延情報および／または第１通知メッセージをユーザプレーンデータパケットで搬送し、第１コアネットワーク要素に報告し、ここで、第１コアネットワーク要素はＵＰＦであり、ＵＰＦは、遅延情報および／または第１通知メッセージをＳＭＦおよび／またはＰＣＦに転送でき、
ここで、前記第１通知メッセージは、測定動作が前記第１ルールの少なくとも１つを満たさないことを通知するために使用される。
【００７４】
上記の技術的解決策において、前記ユーザプレーンデータパケットは、第１データフローデータパケットおよび／または前記第２データパケットを含む。ここで、第１データフローとは、特定のデータフローのデータパケットが報告のみに使用されることを意味する。
【００７５】
具体的には、ＵＥは、遅延情報および／または第１通知メッセージのコンテンツをコンテナに格納し、ＮＡＳメッセージを介して、Ｎ１インターフェース上のＡＭＦに報告し、ＡＭＦは、前記コンテンツをＰＣＦに転送し、さらに、ＰＣＦは、前記コンテンツをＳＭＦに通知される（必要な場合）。あるいは、ＵＥは、ＳＭ−ＮＡＳメッセージを介して、遅延情報および／または第１通知メッセージをＡＭＦに直接送信し、ここで、ＡＭＦは、ＳＭ−ＮＡＳのコンテンツをＰＣＦに転送する。
【００７６】
（３）前記第１ノードが第１アクセスネットワーク要素である場合、
前記第１ノードは、測定によって得られた遅延情報および／または第１通知メッセージを、第１コアネットワーク要素または第２コアネットワーク要素に直接報告し、前記第１通知メッセージは、測定動作が前記第１ルールの少なくとも１つを満たさないことを通知するために使用される。
【００７７】
ここで、前記第１ノードは、測定によって得られた遅延情報および／または第１通知メッセージを、コントロールプレーンデータパケットを介して第２コアネットワーク要素に報告し、または、前記第１ノードは、測定によって得られた遅延情報および／または第１通知メッセージを、ユーザプレーンデータパケットを介して第１コアネットワーク要素に報告する。具体的には、ｇＮＢは、遅延情報および／または第１通知メッセージをＵＰＦ（ユーザプレーン）またはＳＭＦ（コントロールプレーン）に直接報告する。
【００７８】
図５は、本願実施例による情報伝送方法を示す第２の例示的なフローチャートであり、図５に示されるように、前記情報伝送方法は、以下のステップを含む。
【００７９】
ステップ５０１において、第２ノードが、第１ノードによって送信される第１データパケットを受信し、前記第１データパケットは、一方向遅延測定を実行するために使用され、および／または第２データパケットを前記第２ノードに送信し、前記第２データパケットは、往復遅延測定を実行するために使用される。
【００８０】
本願実施例において、第１ノードおよび第２ノードの実施形態は以下の通りであり得る。
【００８１】
（１）第１ノードは第１コアネットワーク要素であり、第２ノードは端末である。
【００８２】
（２）第１ノードは端末であり、第２ノードは第１コアネットワーク要素である。
【００８３】
（３）第１ノードは第１コアネットワーク要素であり、第２ノードは第１アクセスネットワーク要素である。
【００８４】
（４）第１ノードは第１アクセスネットワーク要素であり、第２ノードは第１コアネットワーク要素である。
【００８５】
本願実施例において、各ネットワーク要素の物理的機能として５Ｇ通信システムを例にとると、第１コアネットワーク要素はＵＰＦを指し、第２コアネットワーク要素はＳＭＦを指し、第３コアネットワーク要素はＰＣＦを指し、第４コアネットワーク要素はＡＭＦを指す。
【００８６】
本願実施例において、前記第１データパケットは、第１識別情報、第２識別情報、第１シーケンス番号情報、第１タイムスタンプ情報のうちの少なくとも１つを運び、前記第１識別情報は、前記第１データパケットが測定用であることを指示し、前記第２識別情報は、前記第１データパケットを受信した後に第２データパケットを返信するように第２ノードを指示し、前記第１シーケンス番号情報は、前記第１データパケットを識別するために使用され、前記第１タイムスタンプ情報は、前記第１ノードが前記第１データパケットを送信したときの時間情報を指示する。
【００８７】
本願実施例において、第１ノードによって第２ノードに送信される第１データパケットは、上記の３つの情報のうちの任意の１つまたは複数を運ぶことができる。
【００８８】
本願実施例において、前記第２データパケットは、第１識別情報、第２識別情報、第２シーケンス番号情報、第１タイムスタンプ情報、第２タイムスタンプ情報のうちの少なくとも１つを運び、前記第２シーケンス番号情報は、前記第２データパケットを識別するために使用され、前記第２シーケンス番号情報は、前記第１シーケンス番号情報と同じであるかまたは前記第１シーケンス番号情報と対応関係を有し、前記第２タイムスタンプ情報は、前記第２ノードが前記第２データパケットを前記第１ノードに送信したときの時間情報および／または前記第１ノードから前記第１データパケットを受信したときの時間情報を指示する。
【００８９】
本願実施例において、第２ノードによって第１ノードに送信される第２データパケットは、上記の３つの情報のうちの任意の１つまたは複数を運ぶことができる。
【００９０】
一実施形態において、前記第２ノードが、第１ノードによって送信される第１データパケットを受信した後、前記第１タイムスタンプ情報および第２タイムスタンプ情報に基づいて、前記第１ノードと前記第２ノードとの間の遅延情報を決定し、前記第２タイムスタンプ情報は、前記第２ノードが前記第２データパケットを前記第１ノードに送信したときの時間情報および／または前記第１ノードから前記第１データパケットを受信したときの時間情報を指示する。
【００９１】
以下では、第１ノードおよび第２ノードの異なる実施形態と組み合わせて、第１データパケットおよび第２データパケットの情報がどのように運ばれるかを説明する。
【００９２】
（１）前記第１ノードは第１コアネットワーク要素であり、前記第２ノードは端末であり、
前記第１データパケットで運ばれる情報は、前記第１ノードの第１プロトコル層を介して追加され、前記第１プロトコル層は、ＧＴＰ−Ｕ層の上に配置され、
前記第２データパケットで運ばれる情報は、前記第２ノードの第１プロトコル層を介して追加され、前記第１プロトコル層は、ＳＤＡＰ層の上に配置される。
【００９３】
（２）前記第１ノードは端末であり、前記第２ノードは第１コアネットワーク要素であり、
前記第１データパケットで運ばれる情報は、前記第１ノードの第１プロトコル層を介して追加され、前記第１プロトコル層は、ＳＤＡＰ層の上に配置され、
前記第２データパケットで運ばれる情報は、前記第２ノードの第１プロトコル層を介して追加され、前記第１プロトコル層は、ＧＴＰ−Ｕ層の上に配置される。
【００９４】
（３）前記第１ノードは第１コアネットワーク要素であり、前記第２ノードは第１アクセスネットワーク要素であり、
前記第１データパケットで運ばれる情報は、前記第１ノードのＧＴＰ−Ｕ層を介して追加され、
前記第２データパケットで運ばれる情報は、前記第２ノードのＧＴＰ−Ｕ層を介して追加される。
【００９５】
（４）  前記第１ノードは第１アクセスネットワーク要素であり、前記第２ノードは第１コアネットワーク要素であり、
前記第１データパケットで運ばれる情報は、前記第１ノードのＧＴＰ−Ｕ層を介して追加され、
前記第２データパケットで運ばれる情報は、前記第２ノードのＧＴＰ−Ｕ層を介して追加される。
【００９６】
本願実施例の技術的解決策は、前記第２ノードが、第２コアネットワーク要素から第１ルールを取得し、前記第１ルールに基づいて、測定によって得られた遅延情報および／または第１通知メッセージを報告することをさらに含む。ここで、前記第２コアネットワーク要素側の前記第１ルールは、第３コアネットワーク要素によって前記第２コアネットワーク要素に通知されたもの、または前記第２コアネットワーク要素によって事前に構成されたものである。
【００９７】
ここで、前記第１ルールは、
前記第１ノードおよび／または前記第２ノードが遅延情報に対する測定動作をトリガするか否か、例えば、ＵＰＦおよび／またはＵＥが測定動作をトリガするか否かなどを指示する第１情報、
遅延情報に対する測定動作に対応する測定周期または測定時点を指示する第２情報、
測定動作ごとに測定結果を報告するか否かを指示する第３情報、
遅延が第１遅延閾値を超えることおよび／または遅延が第２遅延閾値より低いことを含む第４情報、
測定によって得られた遅延情報が前記第１遅延閾値を超えるかまたは前記第２遅延閾値より低い場合に、対応する測定結果を報告することを指示する第５情報、のうちの少なくとも１つの情報を含む。
【００９８】
本願実施例において、前記第１ルールの少なくとも１つの情報は、動的な方式または静的な方式で前記第１ノードに送信され、
ここで、前記動的な方式とは、前記第１ノードが前記第１ルールの少なくとも１つの情報の完全なコンテンツを受信することを意味し、
前記静的な方式とは、前記第１ノードが前記第１ルールの少なくとも１つの情報と第１指示情報との間の対応関係を記憶し、前記第１ノードが第１指示情報を受信し、前記第１指示情報に基づいて前記第１ルールの少なくとも１つの情報を決定することを意味する。
【００９９】
さらに、前記第１指示情報は、ＱｏＳパラメータに含まれ、第２ノードは、ＰＤＵセッションの確立および／または更新プロセスを介して、前記第１指示情報を前記第１ノードに送信する。例えば、前記第１指示情報は、ＱｏＳパラメータの５ＱＩパラメータである。例えば、ＱｏＳパラメータが基地局およびＵＥに配信される場合、ＱｏＳパラメータの５ＱＩ＝３であり、すなわち、エンドツーエンドの遅延は５０ｍｓであり、前記パラメータに対応するｊｉｔｔｅｒ（第４／５情報）は［−３ｍｓ，＋５ｍｓ］である。すなわち、前記エンドツーエンドの遅延（ＵＰＦとＵＥとの間の遅延）は、（５０−３）ｍｓ以上、且つ（５０＋５）ｍｓ以下である。
【０１００】
（１）前記第２ノードが第１コアネットワーク要素である場合、
前記第２ノードは、Ｎ４インターフェースを介して、測定によって得られた遅延情報および／または第１通知メッセージを前記第２コアネットワーク要素および／または前記第３コアネットワーク要素に報告し、前記第１通知メッセージは、測定動作が前記第１ルールの少なくとも１つを満たさないことを通知するために使用される。例えば、前記第１通知メッセージは、測定によって得られた遅延情報が第１遅延閾値を超えることまたは第２遅延閾値より低いことを通知するために使用される。
【０１０１】
具体的には、ＵＰＦは、Ｎ４インターフェースを介して、遅延情報および／または第１通知メッセージをＳＭＦに報告し、その後、ＳＭＦは、前記遅延情報および／または第１通知メッセージをＰＣＦに報告するか否かを決定する。
【０１０２】
（２）前記第２ノードが端末である場合、
前記第２ノードは、測定によって得られた遅延情報および／または第１通知メッセージをＮＡＳメッセージの第１コンテナで搬送し、Ｎ１インターフェースを介して第２コアネットワーク要素に報告し、または、
前記第２ノードは、測定によって得られた遅延情報および／または第１通知メッセージをＮＡＳメッセージで搬送し、第２コアネットワーク要素に報告し、ここで、第２コアネットワーク要素はＳＭＦであり、ＳＭＦは、遅延情報および／または第１通知メッセージをＰＣＦ転送に伝送でき、または、
前記第２ノードは、測定によって得られた遅延情報および／または第１通知メッセージをユーザプレーンデータパケットで搬送し、第１コアネットワーク要素に報告し、ここで、第１コアネットワーク要素はＵＰＦであり、ＵＰＦは、遅延情報および／または第１通知メッセージをＳＭＦおよび／またはＰＣＦに転送でき、
ここで、前記第１通知メッセージは、測定動作が前記第１ルールの少なくとも１つを満たさないことを通知するために使用される。
【０１０３】
上記の技術的解決策において、前記ユーザプレーンデータパケットは、第１データフローデータパケットおよび／または前記第２データパケットを含む。ここで、第１データフローとは、特定のデータフローのデータパケットが報告のみに使用されることを意味する。
【０１０４】
具体的には、ＵＥは、遅延情報および／または第１通知メッセージのコンテンツをコンテナに格納し、ＮＡＳメッセージを介して、Ｎ１インターフェース上のＡＭＦに報告し、ＡＭＦは、前記コンテンツをＰＣＦに転送し、さらに、ＰＣＦは、前記コンテンツをＳＭＦに通知される（必要な場合）。あるいは、ＵＥは、ＳＭ−ＮＡＳメッセージを介して、遅延情報および／または第１通知メッセージをＡＭＦに直接送信し、ここで、ＡＭＦは、ＳＭ−ＮＡＳのコンテンツをＰＣＦに転送する。
【０１０５】
（３）前記第２ノードが第１アクセスネットワーク要素である場合、
前記第２ノードは、測定によって得られた遅延情報および／または第１通知メッセージを第１コアネットワーク要素または第２コアネットワーク要素に直接報告する。
【０１０６】
ここで、前記第１ノードは、測定によって得られた遅延情報および／または第１通知メッセージを、コントロールプレーンデータパケットを介して第２コアネットワーク要素に報告し、または、前記第１ノードは、測定によって得られた遅延情報および／または第１通知メッセージを、ユーザプレーンデータパケットを介して第１コアネットワーク要素に報告する。具体的には、ｇＮＢは、遅延情報および／または第１通知メッセージをＵＰＦ（ユーザプレーン）またはＳＭＦ（コントロールプレーン）に直接報告する。
【０１０７】
図６は、本願実施例による情報伝送方法を示す第３の例示的なフローチャートであり、図６に示されるように、前記情報伝送方法は、以下のステップを含む。
【０１０８】
ステップ６０１において、第１ノードが、第１アクセスネットワーク要素を介して第１データパケットを第２ノードに送信し、前記第１データパケットは、一方向伝送遅延測定を実行するために使用され、および／または前記第１アクセスネットワーク要素を介して、第２データパケットを第２ノードに返信し、前記第２データパケットは、往復伝送遅延測定を実行するために使用される。
【０１０９】
本願実施例において、第１ノードおよび第２ノードの実施形態は以下の通りであり得る。
【０１１０】
（１）第１ノードは第１コアネットワーク要素であり、第２ノードは端末である。
【０１１１】
（２）第１ノードは端末であり、第２ノードは第１コアネットワーク要素である。
【０１１２】
本願実施例において、各ネットワーク要素の物理的機能として５Ｇ通信システムを例にとると、第１コアネットワーク要素はＵＰＦを指し、第２コアネットワーク要素はＳＭＦを指し、第３コアネットワーク要素はＰＣＦを指し、第４コアネットワーク要素はＡＭＦを指す。
【０１１３】
本願実施例において、前記第１ノードと前記第１アクセスネットワーク要素との間で伝送される第１データパケットは、第１識別情報、第２識別情報、第１シーケンス番号情報、第１タイムスタンプ情報のうちの少なくとも１つを運び、前記第１アクセスネットワーク要素と前記第２ノードとの間で伝送される第１データパケットは、第１識別情報、第２識別情報、第１シーケンス番号情報、第１タイムスタンプ情報、第２タイムスタンプ情報のうちの少なくとも１つを運ぶ。ここで、前記第１識別情報は、前記第１データパケットが測定用であることを指示し、前記第２識別情報は、前記第１データパケットを受信した後に第２データパケットを返信するように前記第２ノードを指示し、前記第１シーケンス番号情報は、前記第１データパケットを識別するために使用され、前記第１タイムスタンプ情報は、前記第１ノードが前記第１データパケットを送信したときの時間情報を指示し、前記第２タイムスタンプ情報は、前記第１アクセスネットワーク要素が前記第１ノードから前記第１データパケットを受信したときの時間情報および／または前記第１データパケットを前記第２ノードに送信したときの時間情報を指示する。
【０１１４】
本願実施例において、前記第１シーケンス番号情報は、例えば、異なるデータパケットを区別するために使用されるＳＮである。
【０１１５】
一実施形態において、前記第２ノードと前記第１アクセスネットワーク要素との間で伝送される第２データパケットは、第１識別情報、第２識別情報、第２シーケンス番号情報、第１タイムスタンプ情報、第２タイムスタンプ情報、第３タイムスタンプ情報のうちの少なくとも１つを運び、前記第１アクセスネットワーク要素と前記第１ノードとの間で伝送される第２データパケットは、第１識別情報、第２識別情報、第２シーケンス番号情報、第１タイムスタンプ情報、第２タイムスタンプ情報、第３タイムスタンプ情報、第４タイムスタンプ情報のうちの少なくとも１つを運ぶ。ここで、前記第２シーケンス番号情報は、前記第２データパケットを識別するために使用され、前記第２シーケンス番号情報は、前記第１シーケンス番号情報と同じであるかまたは前記第１シーケンス番号情報と対応関係を有し、前記第３タイムスタンプ情報は、前記第２ノードが前記第２データパケットを前記第１アクセスネットワーク要素に送信したときの時間情報および／または前記第１アクセスネットワーク要素から前記第１データパケットを受信したときの時間情報を指示し、前記第４タイムスタンプ情報は、前記第１アクセスネットワーク要素が前記第２データパケットを前記第１ノードに送信したときの時間情報および／または前記第２ノードから前記第２データパケットを受信したときの時間情報を指示する。
【０１１６】
本願実施例において、前記第１ノードが前記第１アクセスネットワーク要素によって送信された前記第２データパケットを受信した後、前記方法は、
前記第１タイムスタンプ情報および第５タイムスタンプ情報に基づいて、前記第１ノードと前記第２ノードとの間の遅延情報を決定することであって、前記第５タイムスタンプ情報は、前記第１ノードが前記第２データパケットを受信したときの時間情報を指示すること、および／または、
前記第１タイムスタンプ情報および第３タイムスタンプ情報、または前記第５タイムスタンプ情報および第３タイムスタンプ情報に基づいて、前記第１ノードと前記第２ノードとの間の遅延情報を決定すること、および／または、
前記第２タイムスタンプ情報および第３タイムスタンプ情報、または前記第３タイムスタンプ情報および前記第４タイムスタンプ情報に基づいて、前記第２ノードと前記第１アクセスネットワーク要素との間の遅延情報を決定すること、および／または、
前記第１タイムスタンプ情報および第２タイムスタンプ情報、または前記第４タイムスタンプ情報および前記第５タイムスタンプ情報に基づいて、前記第１ノードと前記第１アクセスネットワーク要素との間の遅延情報を決定すること、をさらに含む。
【０１１７】
以下では、第１ノードおよび第２ノードの異なる実施形態と組み合わせて、第１データパケットおよび第２データパケットの情報がどのように運ばれるかを説明する。
【０１１８】
（１）前記第１ノードは第１コアネットワーク要素であり、前記第２ノードは端末であり、
前記第１ノードと前記第１アクセスネットワーク要素との間で伝送される、前記第１データパケットで運ばれる情報は、前記第１ノードのＧＴＰ−Ｕ層を介して追加され、
前記第１アクセスネットワーク要素と前記第２ノードとの間で伝送される、前記第１データパケットで運ばれる情報は、前記第１アクセスネットワーク要素のＳＤＡＰ層および／またはＰＤＣＰ層を介して追加され、
前記第２ノードと前記第１アクセスネットワーク要素との間で伝送される、前記第２データパケットで運ばれる情報は、前記第２ノードのＳＤＡＰ層および／またはＰＤＣＰ層を介して追加され、
前記第１アクセスネットワーク要素と前記第１ノードとの間で伝送される、前記第２データパケットで運ばれる情報は、前記第１アクセスネットワーク要素のＧＴＰ−Ｕ層を介して追加される。
【０１１９】
図７を参照すると、ＵＥおよび５Ｇ−ＡＮ側のアクセス層プロトコルは、上から下への順に、ＳＤＡＰ層、ＰＤＣＰ層、ＲＬＣ層、ＭＡＣ層、およびＰＨＹ層を含む。
【０１２０】
（２）前記第１ノードは端末であり、前記第２ノードは第１コアネットワーク要素であり、
前記第１ノードと前記第１アクセスネットワーク要素との間で伝送される、前記第１データパケットで運ばれる情報は、前記第１ノードのＳＤＡＰ層および／またはＰＤＣＰ層を介して追加され、
前記第１アクセスネットワーク要素と前記第２ノードとの間で伝送される、前記第１データパケットで運ばれる情報は、前記第１アクセスネットワーク要素のＧＴＰ−Ｕ層を介して追加され、
前記第２ノードと前記第１アクセスネットワーク要素との間で伝送される、前記第２データパケットで運ばれる情報は、前記第２ノードのＧＴＰ−Ｕ層を介して追加され、
前記第１アクセスネットワーク要素と前記第１ノードとの間で伝送される、前記第２データパケットで運ばれる情報は、前記第１アクセスネットワーク要素のＳＤＡＰ層および／またはＰＤＣＰ層を介して追加される。
【０１２１】
図７を参照すると、ＵＥおよび５Ｇ−ＡＮ側のアクセス層プロトコルは、上から下への順に、ＳＤＡＰ層、ＰＤＣＰ層、ＲＬＣ層、ＭＡＣ層、およびＰＨＹ層を含む。
【０１２２】
本願実施例の技術的解決策は、前記第１ノードが、第２コアネットワーク要素から第１ルールを取得し、前記第１ルールに基づいて、測定によって得られた遅延情報および／または第１通知メッセージを報告することをさらに含む。前記第２コアネットワーク要素側の前記第１ルールは、第３コアネットワーク要素によって前記第２コアネットワーク要素に通知されたもの、または前記第２コアネットワーク要素によって事前に構成されたものである。
【０１２３】
ここで、前記第１ルールは、
前記第１ノードおよび／または前記第２ノードが遅延情報に対する測定動作をトリガするか否か、例えば、ＵＰＦおよび／またはＵＥが測定動作をトリガするか否かなどを指示する第１情報、
遅延情報に対する測定動作に対応する測定周期または測定時点を指示する第２情報、
測定動作ごとに測定結果を報告するか否かを指示する第３情報、
遅延が第１遅延閾値を超えることおよび／または遅延が第２遅延閾値より低いことを含む第４情報、
測定によって得られた遅延情報が前記第１遅延閾値を超えるかまたは前記第２遅延閾値より低い場合に、対応する測定結果を報告することを指示する第５情報、のうちの少なくとも１つの情報を含む。
【０１２４】
上記の技術的解決策において、前記第１ルールの少なくとも１つの情報は、動的な方式または静的な方式で前記第１ノードに送信され、
ここで、前記動的な方式とは、前記第１ノードが前記第１ルールの少なくとも１つの情報の完全なコンテンツを受信することを意味し、
前記静的な方式とは、前記第１ノードが前記第１ルールの少なくとも１つの情報と第１指示情報との間の対応関係を記憶し、前記第１ノードが第１指示情報を受信し、前記第１指示情報に基づいて前記第１ルールの少なくとも１つの情報を決定することを意味する。
【０１２５】
上記の技術的解決策において、前記第１指示情報は、ＱｏＳパラメータに含まれる。さらに、前記第１指示情報は、ＱｏＳパラメータの５ＱＩパラメータである。
【０１２６】
（１）前記第１ノードが第１コアネットワーク要素である場合、
前記第１ノードは、Ｎ４インターフェースを介して、測定によって得られた遅延情報および／または第１通知メッセージを前記第２コアネットワーク要素および／または前記第３コアネットワーク要素に報告し、前記第１通知メッセージは、測定動作が前記第１ルールの少なくとも１つを満たさないことを通知するために使用される。
【０１２７】
具体的には、ＵＰＦは、Ｎ４インターフェースを介して、遅延情報および／または第１通知メッセージをＳＭＦに報告し、その後、ＳＭＦは、前記遅延情報および／または第１通知メッセージをＰＣＦに報告するか否かを決定する。
【０１２８】
（２）前記第１ノードが端末である場合、
前記第１ノードは、測定によって得られた遅延情報および／または第１通知メッセージをＮＡＳメッセージの第１コンテナで搬送し、Ｎ１インターフェースを介して第２コアネットワーク要素に報告する、または、
前記第１ノードは、測定によって得られた遅延情報および／または第１通知メッセージをＮＡＳメッセージで搬送し、第２コアネットワーク要素に報告し、または、
前記第１ノードは、測定によって得られた遅延情報および／または第１通知メッセージをユーザプレーンデータパケットで搬送し、第１コアネットワーク要素に報告し、
ここで、前記第１通知メッセージは、測定動作が前記第１ルールの少なくとも１つを満たさないことを通知するために使用される。
【０１２９】
ここで、前記ユーザプレーンデータパケットは、第１データフローデータパケットおよび／または前記第２データパケットを含む。
【０１３０】
具体的には、ＵＥは、遅延情報および／または第１通知メッセージのコンテンツをコンテナに格納し、ＮＡＳメッセージを介して、Ｎ１インターフェース上のＡＭＦに報告し、ＡＭＦは、前記コンテンツをＰＣＦに転送し、さらに、ＰＣＦは、前記コンテンツをＳＭＦに通知される（必要な場合）。あるいは、ＵＥは、ＳＭ−ＮＡＳメッセージを介して、遅延情報および／または第１通知メッセージをＡＭＦに直接送信し、ここで、ＡＭＦは、ＳＭ−ＮＡＳのコンテンツをＰＣＦに転送する。
【０１３１】
（３）第１アクセスネットワーク要素は、測定によって得られた遅延情報および／または第１通知メッセージを、第１コアネットワーク要素または第２コアネットワーク要素に直接報告し、前記第１通知メッセージは、測定動作が前記第１ルールの少なくとも１つを満たさないことを通知するために使用される。
【０１３２】
前記第１アクセスネットワーク要素は、測定によって得られた遅延情報および／または第１通知メッセージを、コントロールプレーンデータパケットを介して第２コアネットワーク要素に報告し、または、前記第１アクセスネットワーク要素は、測定によって得られた遅延情報および／または第１通知メッセージを、ユーザプレーンデータパケットを介して第１コアネットワーク要素に報告する。
【０１３３】
具体的には、ｇＮＢは、遅延情報および／または第１通知メッセージをＵＰＦ（ユーザプレーン）またはＳＭＦ（コントロールプレーン）に直接報告する。
【０１３４】
（４）前記第１ノードが端末であり、前記第２ノードが第１コアネットワーク要素である場合、前記第１ノードは、ユーザプレーンを介して遅延情報および／または第１通知メッセージを前記第２ノードに送信し、前記第２ノードは、前記遅延情報および／または第１通知メッセージを第２コアネットワーク要素および／または第３コアネットワーク要素に送信する。さらに、（４．１）前記遅延情報および／または第１通知メッセージを搬送するデータパケットは、第２指示情報を含み、前記第２ノードは、前記第２指示情報を取得した後、前記遅延情報および／または第１通知メッセージを第２コアネットワーク要素および／または第３コアネットワーク要素に送信する。あるいは、（４．２）前記遅延情報および／または第１通知メッセージを搬送するデータパケットは、第１データフローおよび／またはＰＤＵセッションを介して伝送され、前記第２ノードは、前記第１データフローおよび／またはＰＤＵセッションを介して伝送されるデータパケット内の情報を、第２コアネットワーク要素および／または第３コアネットワーク要素に送信する。
【０１３５】
上記の技術的解決策において、第１コアネットワーク要素、第１アクセスネットワーク要素、および端末は、第１データパケットおよび／または第２データパケットに対応するタイムスタンプを選択的に添付することができる。一方、第１コアネットワーク要素、第１アクセスネットワーク要素、および端末はまた、第１データパケットおよび／または第２データパケット内のタイムスタンプ情報に従って、対応する遅延情報を計算することができる。例えば、ダウンリンク方向でのＵＰＦでタイムスタンプＴ１が添付され、基地局でタイムスタンプＴ２が添付され、ＵＥでタイムスタンプＴ３が添付され、その後、返されたアップリンク方向での基地局でタイムスタンプＴ４が添付され、ＵＰＦによって受信された時間がＴ５である場合、往復遅延はＤ１＝Ｔ５−Ｔ１であり、一方向遅延はＤ２＝Ｔ３−Ｔ１であり、エアインターフェース遅延はＤ３＝Ｔ３−Ｔ２またはＤ４＝Ｔ４−Ｔ３であり、コアネットワーク遅延はＤ５＝Ｔ５−Ｔ４またはＤ６＝Ｔ２−Ｔ３である。
【０１３６】
図８は、本願実施例による情報伝送方法を示す第４の例示的なフローチャートであり、図８に示されるように、前記情報伝送方法は、以下のステップを含む。
【０１３７】
ステップ８０１において、第２ノードが、第１アクセスネットワーク要素を介して、第１ノードによって送信される第１データパケットを受信し、前記第１データパケットは、一方向伝送遅延測定を実行するために使用され、および／または前記第１アクセスネットワーク要素を介して、第２データパケットを前記第２ノードに送信し、前記第２データパケットは、往復伝送遅延測定を実行するために使用される。
【０１３８】
本願実施例において、第１ノードおよび第２ノードの実施形態は以下の通りであり得る。
【０１３９】
（１）第１ノードは第１コアネットワーク要素であり、第２ノードは端末である。
【０１４０】
（２）第１ノードは端末であり、第２ノードは第１コアネットワーク要素である。
【０１４１】
本願実施例において、各ネットワーク要素の物理的機能として５Ｇ通信システムを例にとると、第１コアネットワーク要素はＵＰＦを指し、第２コアネットワーク要素はＳＭＦを指し、第３コアネットワーク要素はＰＣＦを指し、第４コアネットワーク要素はＡＭＦを指す。
【０１４２】
本願実施例において、前記第１ノードと前記第１アクセスネットワーク要素との間で伝送される第１データパケットは、第１識別情報、第２識別情報、第１シーケンス番号情報、第１タイムスタンプ情報のうちの少なくとも１つを運び、前記第１アクセスネットワーク要素と前記第２ノードとの間で伝送される第１データパケットは、第１識別情報、第２識別情報、第１シーケンス番号情報、第１タイムスタンプ情報、第２タイムスタンプ情報のうちの少なくとも１つを運ぶ。ここで、前記第１識別情報は、前記第１データパケットが測定用であることを指示し、前記第２識別情報は、前記第１データパケットを受信した後に第２データパケットを返信するように前記第２ノードを指示し、前記第１シーケンス番号情報は、前記第１データパケットを識別するために使用され、前記第１タイムスタンプ情報は、前記第１ノードが前記第１データパケットを送信したときの時間情報を指示し、前記第２タイムスタンプ情報は、前記第１アクセスネットワーク要素が前記第１ノードから前記第１データパケットを受信したときの時間情報および／または前記第１データパケットを前記第２ノードに送信したときの時間情報を指示する。
【０１４３】
一実施形態において、前記第２ノードは、前記第１データパケットが前記第１識別情報および／または前記第２識別情報および／または前記第１シーケンス番号情報を運ぶことを決定した後、第２データパケットをカプセル化し、前記第１アクセスネットワーク要素を介して、前記第２データパケットを前記第１ノードに送信する。
【０１４４】
具体的には、前記第２ノードと前記第１アクセスネットワーク要素との間で伝送される第２データパケットは、第１識別情報、第２識別情報、第２シーケンス番号情報、第１タイムスタンプ情報、第２タイムスタンプ情報、第３タイムスタンプ情報のうちの少なくとも１つを運び、前記第１アクセスネットワーク要素と前記第１ノードとの間で伝送される第２データパケットは、第１識別情報、第２識別情報、第２シーケンス番号情報、第１タイムスタンプ情報、第２タイムスタンプ情報、第３タイムスタンプ情報、第４タイムスタンプ情報のうちの少なくとも１つを運ぶ。ここで、前記第２シーケンス番号情報は、前記第２データパケットを識別するために使用され、前記第２シーケンス番号情報は、前記第１シーケンス番号情報と同じであるかまたは前記第１シーケンス番号情報との対応関係を有し、前記第３タイムスタンプ情報は、前記第２ノードが前記第２データパケットを前記第１アクセスネットワーク要素に送信したときの時間情報および／または前記第１アクセスネットワーク要素から前記第１データパケットを受信したときの時間情報を指示し、前記第４タイムスタンプ情報は、前記第１アクセスネットワーク要素が前記第２データパケットを前記第１ノードに送信したときの時間情報および／または前記第２ノードから前記第２データパケットを受信したときの時間情報を指示する。
【０１４５】
本願実施例において、前記第２ノードは、前記第１データパケットで運ばれる情報に基づいて、前記第１ノードと前記第２ノードとの間の遅延情報、および／または、前記第２ノードと前記第１アクセスネットワーク要素との間の遅延情報を、および／または、前記第１ノードと前記第１アクセスネットワーク要素との間の遅延情報を決定する。
【０１４６】
具体的には、前記第２ノードが、第１アクセスネットワーク要素を介して、第１ノードによって送信される第１データパケットを受信した後、前記第１タイムスタンプ情報および第３タイムスタンプ情報に基づいて、前記第１ノードと前記第２ノードとの間の遅延情報を決定し、および／または、前記第２タイムスタンプ情報および第３タイムスタンプ情報に基づいて、前記第２ノードと前記第１アクセスネットワーク要素との間の遅延情報を決定し、および／または、前記第１タイムスタンプ情報および第２タイムスタンプ情報に基づいて、前記第１ノードと前記第１アクセスネットワーク要素との間の遅延情報を決定する。
【０１４７】
以下では、第１ノードおよび第２ノードの異なる実施形態と組み合わせて、第１データパケットおよび第２データパケットの情報がどのように運ばれるかを説明する。
【０１４８】
（１）前記第１ノードは第１コアネットワーク要素であり、前記第２ノードは端末であり、
前記第１ノードと前記第１アクセスネットワーク要素との間で伝送される、前記第１データパケットで運ばれる情報は、前記第１ノードのＧＴＰ−Ｕ層を介して追加され、
前記第１アクセスネットワーク要素と前記第２ノードとの間で伝送される、前記第１データパケットで運ばれる情報は、前記第１アクセスネットワーク要素のＳＤＡＰ層および／またはＰＤＣＰ層を介して追加され、
前記第２ノードと前記第１アクセスネットワーク要素との間で伝送される、前記第２データパケットで運ばれる情報は、前記第２ノードのＳＤＡＰ層および／またはＰＤＣＰ層を介して追加され、
前記第１アクセスネットワーク要素と前記第１ノードとの間で伝送される、前記第２データパケットで運ばれる情報は、前記第１アクセスネットワーク要素のＧＴＰ−Ｕ層を介して追加される。
【０１４９】
図７を参照すると、ＵＥおよび５Ｇ−ＡＮ側のアクセス層プロトコルは、上から下への順に、ＳＤＡＰ層、ＰＤＣＰ層、ＲＬＣ層、ＭＡＣ層、およびＰＨＹ層を含む。
【０１５０】
（２）前記第１ノードは端末であり、前記第２ノードは第１コアネットワーク要素であり、
前記第１ノードと前記第１アクセスネットワーク要素との間で伝送される、前記第１データパケットで運ばれる情報は、前記第１ノードのＳＤＡＰ層および／またはＰＤＣＰ層を介して追加され、
前記第１アクセスネットワーク要素と前記第２ノードとの間で伝送される、前記第１データパケットで運ばれる情報は、前記第１アクセスネットワーク要素のＧＴＰ−Ｕ層を介して追加され、
前記第２ノードと前記第１アクセスネットワーク要素との間で伝送される、前記第２データパケットで運ばれる情報は、前記第２ノードのＧＴＰ−Ｕ層を介して追加され、
前記第１アクセスネットワーク要素と前記第１ノードとの間で伝送される、前記第２データパケットで運ばれる情報は、前記第１アクセスネットワーク要素のＳＤＡＰ層および／またはＰＤＣＰ層を介して追加される。
【０１５１】
図７を参照すると、ＵＥおよび５Ｇ−ＡＮ側のアクセス層プロトコルは、上から下への順に、ＳＤＡＰ層、ＰＤＣＰ層、ＲＬＣ層、ＭＡＣ層、およびＰＨＹ層を含む。
【０１５２】
本願実施例の技術的解決策は、前記第２ノードが、第２コアネットワーク要素から第１ルールを取得し、前記第１ルールに基づいて、測定によって得られた遅延情報および／または第１通知メッセージを報告することをさらに含む。前記第２コアネットワーク要素側の前記第１ルールは、第３コアネットワーク要素によって前記第２コアネットワーク要素に通知されたもの、または前記第２コアネットワーク要素によって事前に構成されたものである。
【０１５３】
ここで、前記第１ルールは、
前記第１ノードおよび／または前記第２ノードが遅延情報に対する測定動作をトリガするか否か、例えば、ＵＰＦおよび／またはＵＥが測定動作をトリガするか否かなどを指示する第１情報、
遅延情報に対する測定動作に対応する測定周期または測定時点を指示する第２情報、
測定動作ごとに測定結果を報告するか否かを指示する第３情報、
遅延が第１遅延閾値を超えることおよび／または遅延が第２遅延閾値より低いことを含む第４情報、
測定によって得られた遅延情報が前記第１遅延閾値を超えるかまたは前記第２遅延閾値より低い場合に、対応する測定結果を報告することを指示する第５情報、のうちの少なくとも１つの情報を含む。
【０１５４】
上記の技術的解決策において、前記第１ルールの少なくとも１つの情報は、動的な方式または静的な方式で前記第１ノードに送信され、
ここで、前記動的な方式とは、前記第１ノードが前記第１ルールの少なくとも１つの情報の完全なコンテンツを受信することを意味し、
前記静的な方式とは、前記第１ノードが前記第１ルールの少なくとも１つの情報と第１指示情報との間の対応関係を記憶し、前記第１ノードが第１指示情報を受信し、前記第１指示情報に基づいて前記第１ルールの少なくとも１つの情報を決定することを意味する。
【０１５５】
上記の技術的解決策において、前記第１指示情報は、ＱｏＳパラメータに含まれる。さらに、前記第１指示情報は、ＱｏＳパラメータの５ＱＩパラメータである。
【０１５６】
（１）前記第２ノードが第１コアネットワーク要素である場合、
前記第２ノードは、Ｎ４インターフェースを介して、測定によって得られた遅延情報および／または第１通知メッセージを前記第２コアネットワーク要素および／または前記第３コアネットワーク要素に報告し、前記第１通知メッセージは、測定動作が前記第１ルールの少なくとも１つを満たさないことを通知するために使用される。
【０１５７】
具体的には、ＵＰＦは、Ｎ４インターフェースを介して、遅延情報および／または第１通知メッセージをＳＭＦに報告し、その後、ＳＭＦは、前記遅延情報および／または第１通知メッセージをＰＣＦに報告するか否かを決定する。
【０１５８】
（２）前記第２ノードが端末である場合、
前記第２ノードは、測定によって得られた遅延情報および／または第１通知メッセージをＮＡＳメッセージの第１コンテナで搬送し、Ｎ１インターフェースを介して第２コアネットワーク要素に報告し、または、
前記第２ノードは、測定によって得られた遅延情報および／または第１通知メッセージをＮＡＳメッセージで搬送し、第２コアネットワーク要素に報告し、または、
前記第２ノードは、測定によって得られた遅延情報および／または第１通知メッセージをユーザプレーンデータパケットで搬送し、第１コアネットワーク要素に報告し、
ここで、前記第１通知メッセージは、測定動作が前記第１ルールの少なくとも１つを満たさないことを通知するために使用される。
【０１５９】
ここで、前記ユーザプレーンデータパケットは、第１データフローデータパケットおよび／または前記第２データパケットを含む。
【０１６０】
具体的には、ＵＥは、遅延情報および／または第１通知メッセージのコンテンツをコンテナに格納し、ＮＡＳメッセージを介して、Ｎ１インターフェース上のＡＭＦに報告し、ＡＭＦは、前記コンテンツをＰＣＦに転送し、さらに、ＰＣＦは、前記コンテンツをＳＭＦに通知される（必要な場合）。あるいは、ＵＥは、ＳＭ−ＮＡＳメッセージを介して、遅延情報および／または第１通知メッセージをＡＭＦに直接送信し、ここで、ＡＭＦは、ＳＭ−ＮＡＳのコンテンツをＰＣＦに転送する。
【０１６１】
（３）第１アクセスネットワーク要素は、測定によって得られた遅延情報および／または第１通知メッセージを、第１コアネットワーク要素または第２コアネットワーク要素に直接報告し、前記第１通知メッセージは、測定動作が前記第１ルールの少なくとも１つを満たさないことを通知するために使用される。
【０１６２】
前記第１アクセスネットワーク要素は、測定によって得られた遅延情報および／または第１通知メッセージを、コントロールプレーンデータパケットを介して第２コアネットワーク要素に報告し、または、前記第１アクセスネットワーク要素は、測定によって得られた遅延情報および／または第１通知メッセージを、ユーザプレーンデータパケットを介して第１コアネットワーク要素に報告する。
【０１６３】
具体的には、ｇＮＢは、遅延情報および／または第１通知メッセージをＵＰＦ（ユーザプレーン）またはＳＭＦ（コントロールプレーン）に直接報告する。
【０１６４】
（４）前記第２ノードが端末であり、前記第１ノードが第１コアネットワーク要素である場合、
前記第２ノードは、ユーザプレーンを介して遅延情報および／または第１通知メッセージを前記第１ノードに送信し、前記第１ノードは、前記遅延情報および／または第１通知メッセージを第２コアネットワーク要素および／または第３コアネットワーク要素に送信する。
【０１６５】
さらに、前記遅延情報および／または第１通知メッセージを搬送するデータパケットは、第２指示情報を含み、前記第１ノードは、前記第２指示情報を取得した後、前記遅延情報および／または第１通知メッセージを第２コアネットワーク要素および／または第３コアネットワーク要素に送信する。または、前記遅延情報および／または第１通知メッセージを搬送するデータパケットは、第１データフローおよび／またはＰＤＵセッションを介して伝送され、前記第１ノードは、前記第１データフローおよび／またはＰＤＵセッションを介して伝送されるデータパケット内の情報を、第２コアネットワーク要素および／または第３コアネットワーク要素に送信する。
【０１６６】
上記の技術的解決策において、第１コアネットワーク要素、第１アクセスネットワーク要素、および端末は、第１データパケットおよび／または第２データパケットに対応するタイムスタンプを選択的に添付することができる。一方、第１コアネットワーク要素、第１アクセスネットワーク要素、および端末はまた、第１データパケットおよび／または第２データパケット内のタイムスタンプ情報に従って、対応する遅延情報を計算することができる。例えば、ダウンリンク方向でのＵＰＦでタイムスタンプＴ１が添付され、基地局でタイムスタンプＴ２が添付され、ＵＥでタイムスタンプＴ３が添付され、その後、返されたアップリンク方向での基地局でタイムスタンプＴ４が添付され、ＵＰＦによって受信された時間がＴ５である場合、往復遅延はＤ１＝Ｔ５−Ｔ１であり、一方向遅延はＤ２＝Ｔ３−Ｔ１であり、エアインターフェース遅延はＤ３＝Ｔ３−Ｔ２またはＤ４＝Ｔ４−Ｔ３であり、コアネットワーク遅延はＤ５＝Ｔ５−Ｔ４またはＤ６＝Ｔ２−Ｔ３である。
【０１６７】
図９は、本願実施例による情報伝送方法を示す第５の例示的なフローチャートであり、図９に示されるように、前記情報伝送方法は、以下のステップを含む。
【０１６８】
ステップ９０１において、第１ノードが、第２ノードによって送信される第１情報を受信し、前記第１情報に基づいて伝送遅延要件を決定し、前記伝送遅延要件は、伝送遅延に対する上限要件および／または下限要件を含む。
【０１６９】
一実施形態において、前記第２ノードは第１コアネットワーク要素であり、前記第１ノードは端末または第１アクセスネットワーク要素（即ち、基地局）である。
【０１７０】
ここで、前記第１ノードが、第２ノードによって送信される第１情報を受信することは、
前記第１ノードが、第２ノードからの伝送遅延要件を受信すること、または、
前記第１ノードが、前記伝送遅延要件と第１指示パラメータとの間の対応関係を記憶し、前記第１ノードが、前記第１指示パラメータを受信した後、前記第１指示パラメータに対応する伝送遅延要件を決定することを含む。
【０１７１】
上記の技術的解決策において、前記伝送要件および／または第１指示パラメータとＱｏＳルールは、前記第２ノードによって一緒に前記第１ノードに送信される。
【０１７２】
一実施形態において、前記第１ノードが、遅延情報が前記伝送遅延要件を満たさないと決定した場合、前記第２ノードに通知する。
【０１７３】
図１０は、本願実施例による情報伝送装置の構成を示す第１の概略図である。
【０１７４】
一適用例において、前記装置は第１ノードに適用され、前記装置は、
第１データパケットを第２ノードに送信し、および／または第２ノードによって返信される第２データパケットを受信するように構成される伝送ユニット１００１を備え、前記第１データパケットは、一方向遅延測定を実行するために使用され、前記第２データパケットは、往復遅延測定を実行するために使用される。
【０１７５】
一実施形態において、前記第１データパケットは、第１識別情報、第２識別情報、第１シーケンス番号情報、第１タイムスタンプ情報のうちの少なくとも１つを運び、前記第１識別情報は、前記第１データパケットが測定用であることを指示し、前記第２識別情報は、前記第１データパケットを受信した後に第２データパケットを返信するように第２ノードを指示し、前記第１シーケンス番号情報は、前記第１データパケットを識別するために使用され、前記第１タイムスタンプ情報は、前記第１ノードが前記第１データパケットを送信したときの時間情報を指示する。
【０１７６】
一実施形態において、前記第２データパケットは、第１識別情報、第２識別情報、第２シーケンス番号情報、第１タイムスタンプ情報、第２タイムスタンプ情報のうちの少なくとも１つを運び、前記第２シーケンス番号情報は、前記第２データパケットを識別するために使用され、前記第２シーケンス番号情報は、前記第１シーケンス番号情報と同じであるかまたは前記第１シーケンス番号情報と対応関係を有し、前記第２タイムスタンプ情報は、前記第２ノードが前記第２データパケットを前記第１ノードに送信したときの時間情報および／または前記第１ノードから前記第１データパケットを受信したときの時間情報を指示する。
【０１７７】
一実施形態において、前記装置は、
前記第１タイムスタンプ情報および第３タイムスタンプ情報に基づいて、前記第１ノードと前記第２ノードとの間の遅延情報を決定し、および／または、前記第１タイムスタンプ情報および第２タイムスタンプ情報、または前記第３タイムスタンプ情報および第２タイムスタンプ情報に基づいて、前記第１ノードと前記第２ノードとの間の遅延情報を決定するように構成される処理ユニット１００２をさらに備え、前記第１ノードが前記第２データパケットを受信したときの時間情報を指示する。
【０１７８】
一実施形態において、前記第１ノードは第１コアネットワーク要素であり、前記第２ノードは端末であり、
前記第１データパケットで運ばれる情報は、前記第１ノードの第１プロトコル層を介して追加され、前記第１プロトコル層は、ＧＴＰ−Ｕ層の上に配置され、
前記第２データパケットで運ばれる情報は、前記第２ノードの第１プロトコル層を介して追加され、前記第１プロトコル層は、ＳＤＡＰ層の上に配置される。
【０１７９】
一実施形態において、前記第１ノードは端末であり、前記第２ノードは第１コアネットワーク要素であり、
前記第１データパケットで運ばれる情報は、前記第１ノードの第１プロトコル層を介して追加され、前記第１プロトコル層は、ＳＤＡＰ層の上に配置され、
前記第２データパケットで運ばれる情報は、前記第２ノードの第１プロトコル層を介して追加され、前記第１プロトコル層は、ＧＴＰ−Ｕ層の上に配置される。
【０１８０】
一実施形態において、前記第１ノードは第１コアネットワーク要素であり、前記第２ノードは第１アクセスネットワーク要素であり、
前記第１データパケットで運ばれる情報は、前記第１ノードのＧＴＰ−Ｕ層を介して追加され、
前記第２データパケットで運ばれる情報は、前記第２ノードのＧＴＰ−Ｕ層を介して追加される。
【０１８１】
一実施形態において、前記第１ノードは第１アクセスネットワーク要素であり、前記第２ノードは第１コアネットワーク要素であり、
前記第１データパケットで運ばれる情報は、前記第１ノードのＧＴＰ−Ｕ層を介して追加され、
前記第２データパケットで運ばれる情報は、前記第２ノードのＧＴＰ−Ｕ層を介して追加される。
【０１８２】
一実施形態において、前記装置は、
第２コアネットワーク要素から第１ルールを取得するように構成される取得ユニット１００３と、
前記第１ルールに基づいて、測定によって得られた遅延情報および／または第１通知メッセージを報告するように構成される報告ユニット１００４と、をさらに備える。
【０１８３】
一実施形態において、前記第１ルールは、
前記第１ノードおよび／または前記第２ノードが遅延情報に対する測定動作をトリガするか否かを指示する第１情報、
遅延情報に対する測定動作に対応する測定周期または測定時点を指示する第２情報、
測定動作ごとに測定結果を報告するか否かを指示する第３情報、
遅延が第１遅延閾値を超えることおよび／または遅延が第２遅延閾値より低いことを含む第４情報、
測定によって得られた遅延情報が前記第１遅延閾値を超えるかまたは前記第２遅延閾値より低い場合に、対応する測定結果を報告することを指示する第５情報、のうちの少なくとも１つの情報を含む。
【０１８４】
一実施形態において、前記第１ルールの少なくとも１つの情報は、動的な方式または静的な方式で前記第１ノードに送信され、
ここで、前記動的な方式とは、前記第１ノードが前記第１ルールの少なくとも１つの情報の完全なコンテンツを受信することを意味し、
前記静的な方式とは、前記第１ノードが前記第１ルールの少なくとも１つの情報と第１指示情報との間の対応関係を記憶し、前記第１ノードが第１指示情報を受信し、前記第１指示情報に基づいて前記第１ルールの少なくとも１つの情報を決定することを意味する。
【０１８５】
一実施形態において、前記第１指示情報は、ＱｏＳパラメータに含まれる。さらに、前記第１指示情報は、ＱｏＳパラメータの５ＱＩパラメータである。
【０１８６】
一実施形態において、前記第１ノードが第１コアネットワーク要素である場合、
前記報告ユニット１００４は、Ｎ４インターフェースを介して、測定によって得られた遅延情報および／または第１通知メッセージを前記第２コアネットワーク要素および／または前記第３コアネットワーク要素に報告し、前記第１通知メッセージは、測定動作が前記第１ルールの少なくとも１つを満たさないことを通知するために使用される。
【０１８７】
一実施形態において、前記第１ノードが端末である場合、
前記報告ユニット１００４は、測定によって得られた遅延情報および／または第１通知メッセージをＮＡＳメッセージの第１コンテナで搬送し、Ｎ１インターフェースを介して第２コアネットワーク要素に報告し、または、
前記報告ユニット１００４は、測定によって得られた遅延情報および／または第１通知メッセージをＮＡＳメッセージで搬送し、第２コアネットワーク要素に報告し、または、
前記報告ユニット１００４は、測定によって得られた遅延情報および／または第１通知メッセージをユーザプレーンデータパケットで搬送し、第１コアネットワーク要素に報告し、
ここで、前記第１通知メッセージは、測定動作が前記第１ルールの少なくとも１つを満たさないことを通知するために使用される。
【０１８８】
一実施形態において、前記ユーザプレーンデータパケットは、第１データフローデータパケットおよび／または前記第２データパケットを含む。
【０１８９】
一実施形態において、前記第１ノードが第１アクセスネットワーク要素である場合、
前記報告ユニット１００４は、測定によって得られた遅延情報および／または第１通知メッセージを、第１コアネットワーク要素または第２コアネットワーク要素に直接報告し、前記第１通知メッセージは、測定動作が前記第１ルールの少なくとも１つを満たさないことを通知するために使用される。
【０１９０】
さらに、前記報告ユニット１００４は、測定によって得られた遅延情報および／または第１通知メッセージを、コントロールプレーンデータパケットを介して第２コアネットワーク要素に報告し、または、
前記報告ユニット１００４は、測定によって得られた遅延情報および／または第１通知メッセージを、ユーザプレーンデータパケットを介して第１コアネットワーク要素に報告する。
【０１９１】
一適用例において、前記装置は第１ノードに適用され、前記装置は、
第１アクセスネットワーク要素を介して第１データパケットを第２ノードに送信し、および／または前記第１アクセスネットワーク要素を介して、第２ノードによって返信される第２データパケットを受信するように構成される伝送ユニット１００１を備え、前記第１データパケットは、一方向伝送遅延測定を実行するために使用され、前記第２データパケットは、往復伝送遅延測定を実行するために使用される。
【０１９２】
一実施形態において、前記第１ノードと前記第１アクセスネットワーク要素との間で伝送される第１データパケットは、第１識別情報、第２識別情報、第１シーケンス番号情報、第１タイムスタンプ情報のうちの少なくとも１つを運び、前記第１アクセスネットワーク要素と前記第２ノードとの間で伝送される第１データパケットは、第１識別情報、第２識別情報、第１シーケンス番号情報、第１タイムスタンプ情報、第２タイムスタンプ情報のうちの少なくとも１つを運び、
ここで、前記第１識別情報は、前記第１データパケットが測定用であることを指示し、前記第２識別情報は、前記第１データパケットを受信した後に第２データパケットを返信するように前記第２ノードを指示し、前記第１シーケンス番号情報は、前記第１データパケットを識別するために使用され、前記第１タイムスタンプ情報は、前記第１ノードが前記第１データパケットを送信したときの時間情報を指示し、前記第２タイムスタンプ情報は、前記第１アクセスネットワーク要素が前記第１ノードから前記第１データパケットを受信したときの時間情報および／または前記第１データパケットを前記第２ノードに送信したときの時間情報を指示する。
【０１９３】
一実施形態において、前記第２ノードと前記第１アクセスネットワーク要素との間で伝送される第２データパケットは、第１識別情報、第２識別情報、第２シーケンス番号情報、第１タイムスタンプ情報、第２タイムスタンプ情報、第３タイムスタンプ情報のうちの少なくとも１つを運び、前記第１アクセスネットワーク要素と前記第１ノードとの間で伝送される第２データパケットは、第１識別情報、第２識別情報、第２シーケンス番号情報、第１タイムスタンプ情報、第２タイムスタンプ情報、第３タイムスタンプ情報、第４タイムスタンプ情報のうちの少なくとも１つを運び、
ここで、前記第２シーケンス番号情報は、前記第２データパケットを識別するために使用され、前記第２シーケンス番号情報は、前記第１シーケンス番号情報と同じであるかまたは前記第１シーケンス番号情報と対応関係を有し、前記第３タイムスタンプ情報は、前記第２ノードが前記第２データパケットを前記第１アクセスネットワーク要素に送信したときの時間情報および／または前記第１アクセスネットワーク要素から前記第１データパケットを受信したときの時間情報を指示し、前記第４タイムスタンプ情報は、前記第１アクセスネットワーク要素が前記第２データパケットを前記第１ノードに送信したときの時間情報および／または前記第２ノードから前記第２データパケットを受信したときの時間情報を指示する。
【０１９４】
一実施形態において、前記装置は、
前記第１タイムスタンプ情報および第５タイムスタンプ情報に基づいて、前記第１ノードと前記第２ノードとの間の遅延情報を決定し、および／または、前記第１タイムスタンプ情報および第３タイムスタンプ情報、または前記第５タイムスタンプ情報および第３タイムスタンプ情報に基づいて、前記第１ノードと前記第２ノードとの間の遅延情報を決定し、および／または、前記第２タイムスタンプ情報および第３タイムスタンプ情報、または前記第３タイムスタンプ情報および前記第４タイムスタンプ情報に基づいて、前記第２ノードと前記第１アクセスネットワーク要素との間の遅延情報を決定し、および／または、前記第１タイムスタンプ情報および第２タイムスタンプ情報、または前記第４タイムスタンプ情報および前記第５タイムスタンプ情報に基づいて、前記第１ノードと前記第１アクセスネットワーク要素との間の遅延情報を決定するように構成される前記処理ユニット１００２をさらに備え、前記第５タイムスタンプ情報は、前記第１ノードが前記第２データパケットを受信したときの時間情報を指示する。
【０１９５】
一実施形態において、前記第１ノードは第１コアネットワーク要素であり、前記第２ノードは端末であり、
前記第１ノードと前記第１アクセスネットワーク要素との間で伝送される、前記第１データパケットで運ばれる情報は、前記第１ノードのＧＴＰ−Ｕ層を介して追加され、
前記第１アクセスネットワーク要素と前記第２ノードとの間で伝送される、前記第１データパケットで運ばれる情報は、前記第１アクセスネットワーク要素のＳＤＡＰ層および／またはＰＤＣＰ層を介して追加され、
前記第２ノードと前記第１アクセスネットワーク要素との間で伝送される、前記第２データパケットで運ばれる情報は、前記第２ノードのＳＤＡＰ層および／またはＰＤＣＰ層を介して追加され、
前記第１アクセスネットワーク要素と前記第１ノードとの間で伝送される、前記第２データパケットで運ばれる情報は、前記第１アクセスネットワーク要素のＧＴＰ−Ｕ層を介して追加される。
【０１９６】
一実施形態において、前記第１ノードは端末であり、前記第２ノードは第１コアネットワーク要素であり、
前記第１ノードと前記第１アクセスネットワーク要素との間で伝送される、前記第１データパケットで運ばれる情報は、前記第１ノードのＳＤＡＰ層および／またはＰＤＣＰ層を介して追加され、
前記第１アクセスネットワーク要素と前記第２ノードとの間で伝送される、前記第１データパケットで運ばれる情報は、前記第１アクセスネットワーク要素のＧＴＰ−Ｕ層を介して追加され、
前記第２ノードと前記第１アクセスネットワーク要素との間で伝送される、前記第２データパケットで運ばれる情報は、前記第２ノードのＧＴＰ−Ｕ層を介して追加され、
前記第１アクセスネットワーク要素と前記第１ノードとの間で伝送される、前記第２データパケットで運ばれる情報は、前記第１アクセスネットワーク要素のＳＤＡＰ層および／またはＰＤＣＰ層を介して追加される。
【０１９７】
一実施形態において、前記装置は、
第２コアネットワーク要素から第１ルールを取得するように構成される取得ユニット１００３と、
前記第１ルールに基づいて、測定によって得られた遅延情報および／または第１通知メッセージを報告するように構成される報告ユニット１００４と、をさらに備える。
【０１９８】
一実施形態において、前記第１ルールは、
前記第１ノードおよび／または前記第２ノードが遅延情報に対する測定動作をトリガするか否かを指示する第１情報、
遅延情報に対する測定動作に対応する測定周期または測定時点を指示する第２情報、
測定動作ごとに測定結果を報告するか否かを指示する第３情報、
遅延が第１遅延閾値を超えることおよび／または遅延が第２遅延閾値より低いことを含む第４情報、
測定によって得られた遅延情報が前記第１遅延閾値を超えるかまたは前記第２遅延閾値より低い場合に、対応する測定結果を報告することを指示する第５情報、のうちの少なくとも１つの情報を含む。
【０１９９】
一実施形態において、前記第１ルールの少なくとも１つの情報は、動的な方式または静的な方式で前記第１ノードに送信され、
ここで、前記動的な方式とは、前記第１ノードが前記第１ルールの少なくとも１つの情報の完全なコンテンツを受信することを意味し、
前記静的な方式とは、前記第１ノードが前記第１ルールの少なくとも１つの情報と第１指示情報との間の対応関係を記憶し、前記第１ノードが第１指示情報を受信し、前記第１指示情報に基づいて前記第１ルールの少なくとも１つの情報を決定することを意味する。
【０２００】
一実施形態において、前記第１指示情報は、ＱｏＳパラメータに含まれる。さらに、前記第１指示情報は、ＱｏＳパラメータの５ＱＩパラメータである。
【０２０１】
一実施形態において、前記第１ノードが第１コアネットワーク要素である場合、
前記報告ユニット１００４は、Ｎ４インターフェースを介して、測定によって得られた遅延情報および／または第１通知メッセージを前記第２コアネットワーク要素および／または前記第３コアネットワーク要素に報告し、前記第１通知メッセージは、測定動作が前記第１ルールの少なくとも１つを満たさないことを通知するために使用される。
【０２０２】
一実施形態において、前記第１ノードが端末である場合、
前記報告ユニット１００４は、測定によって得られた遅延情報および／または第１通知メッセージをＮＡＳメッセージの第１コンテナで搬送し、Ｎ１インターフェースを介して第２コアネットワーク要素に報告し、または、
前記報告ユニット１００４は、測定によって得られた遅延情報および／または第１通知メッセージをＮＡＳメッセージで搬送し、第２コアネットワーク要素に報告し、または、
前記報告ユニット１００４は、測定によって得られた遅延情報および／または第１通知メッセージをユーザプレーンデータパケットで搬送し、第１コアネットワーク要素に報告し、
ここで、前記第１通知メッセージは、測定動作が前記第１ルールの少なくとも１つを満たさないことを通知するために使用される。
【０２０３】
一実施形態において、前記ユーザプレーンデータパケットは、第１データフローデータパケットおよび／または前記第２データパケットを含む。
【０２０４】
一実施形態において、前記第１アクセスネットワーク要素は、測定によって得られた遅延情報および／または第１通知メッセージを、第１コアネットワーク要素または第２コアネットワーク要素に直接報告し、前記第１通知メッセージは、測定動作が前記第１ルールの少なくとも１つを満たさないことを通知するために使用される。前記第１アクセスネットワーク要素は、測定によって得られた遅延情報および／または第１通知メッセージを、コントロールプレーンデータパケットを介して第２コアネットワーク要素に報告し、または、前記第１アクセスネットワーク要素は、測定によって得られた遅延情報および／または第１通知メッセージを、ユーザプレーンデータパケットを介して第１コアネットワーク要素に報告する。
【０２０５】
一実施形態において、前記第１ノードが端末であり、前記第２ノードが第１コアネットワーク要素である場合、
前記報告ユニット１００４は、ユーザプレーンを介して遅延情報および／または第１通知メッセージを前記第２ノードに送信し、前記第２ノードは、前記遅延情報および／または第１通知メッセージを第２コアネットワーク要素および／または第３コアネットワーク要素に送信する。
【０２０６】
一実施形態において、前記遅延情報および／または第１通知メッセージを搬送するデータパケットは、第２指示情報を含み、前記第２ノードは、前記第２指示情報を取得した後、前記遅延情報および／または第１通知メッセージを第２コアネットワーク要素および／または第３コアネットワーク要素に送信する。
【０２０７】
一実施形態において、前記遅延情報および／または第１通知メッセージを搬送するデータパケットは、第１データフローおよび／またはＰＤＵセッションを介して伝送され、前記第２ノードは、前記第１データフローおよび／またはＰＤＵセッションを介して伝送されるデータパケット内の情報を、第２コアネットワーク要素および／または第３コアネットワーク要素に送信する。
【０２０８】
当業者なら自明であるが、本願実施例における上記の情報伝送装置の関連する説明は、本願実施例における情報伝送方法の関連する説明を参照することによって理解できる。
【０２０９】
図１１は、本願実施例による情報伝送装置の構成を示す第２の概略図である。一適用例において、前記装置は第１ノードに適用され、前記装置は、
第２ノードによって送信される第１情報を受信し、前記第１情報に基づいて伝送遅延要件を決定するように構成される決定ユニット１１０１をさらに備え、前記伝送遅延要件は、伝送遅延に対する上限要件および／または下限要件を含む。
【０２１０】
一実施形態において、前記決定ユニット１１０１は、第２ノードからの伝送遅延要件を受信するように構成され、または前記伝送遅延要件と第１指示パラメータとの間の対応関係を記憶し、前記第１指示パラメータを受信した後、前記第１指示パラメータに対応する伝送遅延要件を決定するように構成される。
【０２１１】
一実施形態において、前記第２ノードは第１コアネットワーク要素であり、前記第１ノードは端末または第１アクセスネットワーク要素である。
【０２１２】
一実施形態において、前記伝送要件および／または第１指示パラメータとＱｏＳルールは、前記第２ノードによって一緒に前記第１ノードに送信される。
【０２１３】
一実施形態において、前記装置は、
遅延情報が前記伝送遅延要件を満たさないと決定した場合、前記第２ノードに通知するように構成される通知ユニット１１０２をさらに備える。
【０２１４】
本願実施例は、情報伝送方法をさらに提供し、前記方法は、第１ノードが、コアネットワークから第１情報を取得することであって、前記第１情報は、第１遅延閾値および第２遅延閾値を決定するために使用されることと、前記第１ノードが、前記第１ノードと第２ノードとの間の伝送遅延が前記第１遅延閾値と前記第２遅延閾値との間にあるように制御することと、を含む。
【０２１５】
一実施形態において、前記第１情報は、第１遅延オフセットおよび第２遅延オフセットを含み、ここで、前記第１遅延閾値は、前記第１遅延オフセットおよび基準遅延情報に基づいて決定され、前記第２遅延閾値は、前記第２遅延オフセットおよび基準遅延情報に基づいて決定される。別の実施形態において、前記第１情報は、第１遅延オフセットおよび第２遅延オフセットを含む。
【０２１６】
ここで、ＰＤＵセッションの確立または変更中に、前記第１ノードは、第２コアネットワーク要素によって送信される第１遅延閾値および／または第２遅延閾値を受信する。ここで、前記第１ノードは、第１アクセスネットワーク要素（基地局など）または端末である。前記第２コアネットワーク要素はＳＭＦである。第２ノードは、第１ノードとは異なる任意のネットワーク要素であり得る。
【０２１７】
これに対して、本願実施例は、第１ノードに適用される情報伝送装置をさらに提供し、前記装置は、
コアネットワークから第１情報を取得するように構成される取得ユニットであって、前記第１情報は、第１遅延閾値および第２遅延閾値を決定するために使用される、取得ユニットと、
前記第１ノードと第２ノードとの間の伝送遅延が前記第１遅延閾値と前記第２遅延閾値との間にあるように制御するように構成される処理ユニットと、を備える。
【０２１８】
一実施形態において、前記第１情報は、第１遅延オフセットおよび第２遅延オフセットを含み、ここで、前記第１遅延閾値は、前記第１遅延オフセットおよび基準遅延情報に基づいて決定され、前記第２遅延閾値は、前記第２遅延オフセットおよび基準遅延情報に基づいて決定される。
【０２１９】
一実施形態において、前記取得ユニットは、ＰＤＵセッションの確立または変更中に、第２コアネットワーク要素によって送信される第１遅延閾値および／または第２遅延閾値を受信するように構成される。
【０２２０】
一実施形態において、前記第１ノードは、第１アクセスネットワーク要素または端末である。
【０２２１】
図１２は、本願実施例による通信機器６００の例示的な構造図である。前記通信機器は、端末機器またはネットワーク機器であり得る。図１２に示される通信機器６００は、プロセッサ６１０を備え、プロセッサ６１０は、メモリからコンピュータプログラムを呼び出して実行して、本願実施例における方法を実現することができる。
【０２２２】
例示的に、図１２に示されるように、通信機器６００は、メモリ６２０をさらに備えてもよい。ここで、プロセッサ６１０は、メモリ６２０からコンピュータプログラムを呼び出して実行して、本願実施例における方法を実現することができる。
【０２２３】
ここで、メモリ６２０は、プロセッサ６１０から独立した単一のデバイスであってもよく、プロセッサ６１０に統合されたものであってもよい。
【０２２４】
例示的に、図１２に示されるように、通信機器６００は、トランシーバ６３０をさらに備えてもよく、プロセッサ６１０は、前記トランシーバ６３０を制御して、他の機器と通信することができ、具体的には、情報またはデータを他の機器に送信し、または他の機器によって送信される情報またはデータを受信することができる。
【０２２５】
ここで、トランシーバ６３０は、送信機および受信器を含み得る。トランシーバ６３０は、アンテナをさらに備えてもよく、アンテナの数は、１つまたは複数であり得る。
【０２２６】
例示的に、前記通信機器６００は、具体的には、本願実施例によるネットワーク機器であってもよく、前記通信機器６００は、本願実施例における各方法においてネットワーク機器によって実現される対応するプロセスを実現することができ、簡潔にするために、ここでは繰り返して説明しない。
【０２２７】
例示的に、前記通信機器６００は、具体的には、本願実施例によるモバイル端末／端末機器であってもよく、前記通信機器６００は、本願実施例における各方法においてモバイル端末／端末機器によって実現される対応するプロセスを実現することができ、簡潔にするために、ここでは繰り返して説明しない。
【０２２８】
図１３は、本願実施例によるチップの例示的な構造図である。図１３に示されるチップ７００は、プロセッサ７１０を備え、プロセッサ７１０は、メモリからコンピュータプログラムを呼び出して実行して、本願実施例における方法を実現することができる。
【０２２９】
例示的に、図１３に示されたように、チップ７００は、メモリ７２０をさらに備えてもよい。ここで、プロセッサ７１０は、メモリ７２０からコンピュータプログラムを呼び出して実行して、本願実施例における方法を実現することができる。
【０２３０】
ここで、メモリ７２０は、プロセッサ７１０から独立した単一のデバイスであってもよく、またはプロセッサ７１０に統合されたものであってもよい。
【０２３１】
例示的に、前記チップ７００は、入力インターフェース７３０をさらに備えてもよい。ここで、プロセッサ７１０は、他の機器またはチップと通信するように前記入力インターフェース７３０を制御することができ、具体的には、他の機器またはチップによって送信される情報またはデータを取得することができる。
【０２３２】
例示的に、前記チップ７００は、出力インターフェース７４０をさらに備えてもよい。ここで、プロセッサ７１０は、他の機器またはチップと通信するように前記出力インターフェース７４０を制御することができ、具体的には、情報またはデータを他の機器またはチップに出力することができる。
【０２３３】
例示的に、前記チップは、本願実施例におけるネットワーク機器に適用されてもよく、前記チップは、本願実施例における各方法においてネットワーク機器によって実現される対応するプロセスを実現することができ、簡潔にするために、ここでは繰り返して説明しない。
【０２３４】
例示的に、前記チップは、本願実施例におけるモバイル端末／端末機器に適用されてもよく、前記チップは、本願実施例における各方法においてモバイル端末／端末機器によって実現される対応するプロセスを実現することができ、簡潔にするために、ここでは繰り返して説明しない。
【０２３５】
本願実施例で言及されるチップは、システムレベルのチップ、システムチップ、チップシステム、またはシステムオンチップと呼ばれることもできることを理解されたい。
【０２３６】
図１４は、本願実施例による通信システム９００の例示的なブロック図である。図１４に示されたように、前記通信システム９００は、端末機器９１０およびネットワーク機器９２０を含む。
【０２３７】
ここで、前記端末機器９１０は、上記の方法において端末によって実現される対応する機能を実現するように構成されてもよく、前記ネットワーク機器９２０は、上記の方法においてネットワーク機器によって実現される対応する機能を実現するように構成されてもよく、簡潔にするために、ここでは繰り返して説明しない。
【０２３８】
本願実施例におけるプロセッサは、信号処理能力を有する集積回路チップであり得ることを理解されたい。実現プロセスにおいて、上記の方法の実施例の各ステップは、プロセッサ内のハードウェアの集積論理回路またはソフトウェアの形の命令によって完了することができる。上記のプロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）、または他のプログラマブルロジックデバイス、ディスクリートゲートまたはトランジスタロジックデバイス、ディスクリートハードウェアコンポーネント等であってもよく、本願実施例で開示された各方法、ステップおよび論理ブロック図を実現または実行することができる。汎用プロセッサは、マイクロプロセッサであってもよく、または前記プロセッサは、任意の従来のプロセッサ等であってもよい。本願実施例と組み合たせて開示される方法のステップは、ハードウェア復号化プロセッサによって直接実行されてもよく、復号化プロセッサにおけるハードウェアおよびソフトウェアモジュールの組み合わせによって実行されてもよい。ソフトウェアモジュールは、ランダムアクセスメモリ、フラッシュメモリ、読み取り専用メモリ、プログラム可能な読み取り専用メモリ、または電気的に消去可能なプログラム可能なメモリ、レジスタ等の従来の記憶媒体に配置されることができる。前記記憶媒体はメモリに配置され、プロセッサはメモリ内の情報を読み取り、そのハードウェアと組み合わせて前述の方法のステップを完了する。
【０２３９】
本願実施例におけるメモリは、揮発性メモリまたは不揮発性メモリであってもよく、または揮発性および不揮発性メモリの両方を含んでもよいことが理解できる。ここで、不揮発性メモリは、読み取り専用メモリ（ＲＯＭ：Ｒｅａｄ−Ｏｎｌｙ  Ｍｅｍｏｒｙ）、プログラム可能な読み取り専用メモリ（ＰＲＯＭ：Ｐｒｏｇｒａｍｍａｂｌｅ  ＲＯＭ）、消去可能なプログラム可能な読み取り専用メモリ（ＥＰＲＯＭ：Ｅｒａｓａｂｌｅ  ＰＲＯＭ）、電気的に消去可能なプログラム可能な読み取り専用メモリ（ＥＥＰＲＯＭ：Ｅｌｅｃｔｒｉｃａｌｌｙ  ＥＰＲＯＭ）、またはフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。例示的であるが限定的ではない例として、スタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、同期ダイナミックランダムアクセスメモリ（ＳＤＲＡＭ：Ｓｙｎｃｈｒｏｎｏｕｓ  ＤＲＡＭ）、ダブルデータレートの同期ダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型同期ダイナミックランダムアクセスメモリ（ＥＳＤＲＡＭ：Ｅｎｈａｎｃｅｄ  ＳＤＲＡＭ）、同期接続ダイナミックランダムアクセスメモリ（ＳＬＤＲＡＭ：Ｓｙｎｃｈｌｉｎｋ  ＤＲＡＭ）およびダイレクトメモリバスランダムアクセスメモリ（ＤＲ  ＲＡＭ：Ｄｉｒｅｃｔ  Ｒａｍｂｕｓ  ＲＡＭ）などの多くの形のＲＡＭが利用可能である。本明細書で説明されるシステムおよび方法におけるメモリは、これらおよび他の任意の適切なタイプのメモリを含むことを意図しているが、これらに限定されないことに留意されたい。
【０２４０】
前記メモリは、例示的なものであるが、限定的なものではないことを理解されたい。例えば、本願実施例におけるメモリは、スタティックランダムアクセスメモリ（ＳＲＡＭ：ｓｔａｔｉｃ  ＲＡＭ）、ダイナミックランダムアクセスメモリ（ＤＲＡＭ：ｄｙｎａｍｉｃ  ＲＡＭ）、同期ダイナミックランダムアクセスメモリ（ＳＤＲＡＭ：ｓｙｎｃｈｒｏｎｏｕｓ  ＤＲＡＭ）、ダブルデータレートの同期ダイナミックランダムアクセスメモリ（ＤＤＲ  ＳＤＲＡＭ：ｄｏｕｂｌｅ  ｄａｔａ  ｒａｔｅ  ＳＤＲＡＭ）、拡張型同期ダイナミックランダムアクセスメモリ（ＥＳＤＲＡＭ：ｅｎｈａｎｃｅｄ  ＳＤＲＡＭ）、同期接続ダイナミックランダムアクセスメモリ（ＳＬＤＲＡＭ：ｓｙｎｃｈ  ｌｉｎｋ  ＤＲＡＭ）、ダイレクトメモリバスランダムアクセスメモリ（ＤＲ  ＲＡＭ：Ｄｉｒｅｃｔ  Ｒａｍｂｕｓ  ＲＡＭ）等であってもよい。すなわち、本願実施例は、これらおよび他の任意の適切なタイプのメモリを含むことを意図しているが、これらに限定されない。
【０２４１】
本願実施例は、コンピュータプログラムを記憶するためのコンピュータ可読記憶媒体をさらに提供する。
【０２４２】
例示的に、前記コンピュータ可読記憶媒体は、本願実施例におけるネットワーク機器に適用されてもよく、前記コンピュータプログラムは、コンピュータが本願実施例における各方法においてネットワーク機器によって実現される対応するプロセスを実行するように構成されてもよく、簡潔にするために、ここでは繰り返して説明しない。
【０２４３】
例示的に、前記コンピュータ可読記憶媒体は、本願実施例におけるモバイル端末／端末機器に適用されてもよく、前記コンピュータプログラムは、コンピュータが本願実施例における各方法においてモバイル端末／端末機器によって実現される対応するプロセスを実行するように構成されてもよく、簡潔にするために、ここでは繰り返して説明しない。
【０２４４】
本願実施例は、コンピュータプログラム命令を含むコンピュータプログラム製品をさらに提供する。
【０２４５】
例示的に、前記コンピュータプログラム製品は、本願実施例のネットワーク機器に適用されてもよく、前記コンピュータプログラム命令は、コンピュータが本願実施例における各方法においてネットワーク機器によって実現される対応するプロセスを実行するように構成されてもよく、簡潔にするために、ここでは繰り返して説明しない。
【０２４６】
例示的に、前記コンピュータプログラム製品は、本願実施例のモバイル端末／端末機器に適用されてもよく、前記コンピュータプログラム命令は、コンピュータが本願実施例における各方法においてモバイル端末／端末機器によって実現される対応するプロセスを実行するように構成されてもよく、簡潔にするために、ここでは繰り返して説明しない。
【０２４７】
本願実施例は、コンピュータプログラムをさらに提供する。
【０２４８】
例示的に、前記コンピュータプログラムは、本願実施例におけるネットワーク機器に適用されてもよく、前記コンピュータプログラムがコンピュータで実行される時に、コンピュータに、本願実施例における各方法においてネットワーク機器によって実現される対応するプロセスを実行させ、簡潔にするために、ここでは繰り返して説明しない。
【０２４９】
例示的に、前記コンピュータプログラムは、本願実施例のモバイル端末／端末機器に適用されてもよく、前記コンピュータプログラムがコンピュータで実行される時に、コンピュータに、本願実施例における各方法においてモバイル端末／端末機器によって実現される対応するプロセスを実行させ、簡潔にするために、ここでは繰り返して説明しない。
【０２５０】
当業者なら自明であるが、本明細書で開示される実施例と組み合わせて説明された各例示のユニットおよびアルゴリズムステップは、電子ハードウェア、またはコンピュータソフトウェアと電子ハードウェアの組み合わせによって実現されてもよい。これらの機能がハードウェアの形で実行されるかソフトウェアの形で実行されるかは、技術的解決策の特定の用途および設計上の制約条件に依存する。専門技術者は、各特定の用途に応じて異なる方法を使用して説明された機能を実現してもよいが、このような実現は本願の範囲を超えると見なされるべきではない。
【０２５１】
当業者なら明確に理解できるが、説明の便宜および簡潔のために、上記に説明されたシステム、装置およびユニットの具体的な作業プロセスは、前述の方法の実施例における対応するプロセスを参照することができ、ここでは繰り返さない。
【０２５２】
本願で提供されるいくつかの実施例では、開示されたシステム、装置および方法は、他の方式で実現できることを理解されたい。例えば、上記で説明された装置の実施例は例示的なものに過ぎない。例えば、前記ユニットの分割は、論理機能の分割に過ぎず、実際の実装では別の分割方法があり得、例えば、複数のユニットまたはコンポーネントを別のシステムに統合または集積してもよく、または一部の特徴を無視するか実行しなくてもよい。なお、表示または議論された相互結合または直接結合または通信接続は、いくつかのインターフェース、装置またはユニットを介した間接結合または通信接続であり得、電気的、機械的または他の形態であり得る。
【０２５３】
前記別個のコンポーネントとして説明されたユニットは、物理的に分離されていてもされなくてもよく、ユニットとして表示されたコンポーネントは、物理的ユニットでであってもなくてもよい。すなわち、１箇所に配置されてもよく、複数のネットワークユニットに分散されてもよい。実際の需要に応じて、その中のユニットの一部または全部を選択して本実施例における技術的解決策の目的を達成することができる。
【０２５４】
さらに、本願の各実施例における各機能ユニットは１つの処理ユニットに統合されてもよく、または各ユニットが物理的に別々に存在してもよく、または２つまたは２つ以上のユニットが１つのユニットに統合されてもよい。
【０２５５】
前記機能は、ソフトウェア機能ユニットの形で実現され、かつ独立した製品として販売または使用される場合、コンピュータ可読記憶媒体に記憶されることができる。このような理解に基づいて、本願の技術的解決策の本質的な部分、すなわち先行技術に貢献のある部分、または前記技術的解決策の一部は、ソフトウェア製品の形で具現されることができ、前記コンピュータソフトウェア製品は、１つの記憶媒体に記憶され、１台のコンピュータ機器（パーソナルコンピュータ、サーバ、またはネットワーク機器等であり得る）に本願の各実施例に記載の方法の全部または一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスクまたは光ディスクなど、プログラムコードを記憶できる様々な媒体を含む。
【０２５６】
上記の内容は、本願の具体的な実施形態に過ぎず、本願の保護範囲はこれに限定されない。当業者は、本願で開示された技術的範囲内で容易に想到し得る変更または置換は、すべて本願の保護範囲内に含まれるべきである。したがって、本願の保護範囲は、特許請求の範囲の保護範囲に従うものとする。
【図１】
2021536167.tif 000003
【図２】
2021536167.tif 000004
【図３】
2021536167.tif 000005
【図４】
2021536167.tif 000006
【図５】
2021536167.tif 000007
【図６】
2021536167.tif 000008
【図７】
2021536167.tif 000009
【図８】
2021536167.tif 000010
【図９】
2021536167.tif 000011
【図１０】
2021536167.tif 000012
【図１１】
2021536167.tif 000013
【図１２】
2021536167.tif 000014
【図１３】
2021536167.tif 000015
【図１４】
2021536167.tif 000016
【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
情報伝送方法であって、
第１ノードが、第１データパケットを第２ノードに送信し、および／または第２ノードによって返信される第２データパケットを受信することを含み、前記第１データパケットは、一方向遅延測定を実行するために使用され、前記第２データパケットは、往復遅延測定を実行するために使用される、前記情報伝送方法。
【請求項２】
前記第１データパケットは、第１識別情報、第２識別情報、第１シーケンス番号情報、第１タイムスタンプ情報のうちの少なくとも１つを運び、前記第１識別情報は、前記第１データパケットが測定用であることを指示し、前記第２識別情報は、前記第１データパケットを受信した後に第２データパケットを返信するように第２ノードを指示し、前記第１シーケンス番号情報は、前記第１データパケットを識別するために使用され、前記第１タイムスタンプ情報は、前記第１ノードが前記第１データパケットを送信したときの時間情報を指示する、
請求項１に記載の情報伝送方法。
【請求項３】
前記第２データパケットは、第１識別情報、第２識別情報、第２シーケンス番号情報、第１タイムスタンプ情報、第２タイムスタンプ情報のうちの少なくとも１つを運び、前記第２シーケンス番号情報は、前記第２データパケットを識別するために使用され、前記第２シーケンス番号情報は、前記第１シーケンス番号情報と同じであるかまたは前記第１シーケンス番号情報と対応関係を有し、前記第２タイムスタンプ情報は、前記第２ノードが前記第２データパケットを前記第１ノードに送信したときの時間情報および／または前記第１ノードから前記第１データパケットを受信したときの時間情報を指示する、
請求項２に記載の情報伝送方法。
【請求項４】
前記第１ノードが前記第２ノードによって送信された前記第２データパケットを受信した後、前記方法は、
前記第１タイムスタンプ情報および第３タイムスタンプ情報に基づいて、前記第１ノードと前記第２ノードとの間の遅延情報を決定することであって、前記第３タイムスタンプ情報は、前記第１ノードが前記第２データパケットを受信したときの時間情報を指示すること、および／または、
前記第１タイムスタンプ情報および第２タイムスタンプ情報、または前記第３タイムスタンプ情報および第２タイムスタンプ情報に基づいて、前記第１ノードと前記第２ノードとの間の遅延情報を決定すること、をさらに含む、
請求項３に記載の情報伝送方法。
【請求項５】
前記第１ノードは第１コアネットワーク要素であり、前記第２ノードは端末であり、
前記第１データパケットで運ばれる情報は、前記第１ノードの第１プロトコル層を介して追加され、前記第１プロトコル層は、ＧＴＰ−Ｕ層の上に配置され、
前記第２データパケットで運ばれる情報は、前記第２ノードの第１プロトコル層を介して追加され、前記第１プロトコル層は、ＳＤＡＰ層の上に配置される、
請求項１ないし４のいずれか一項に記載の情報伝送方法。
【請求項６】
前記第１ノードは端末であり、前記第２ノードは第１コアネットワーク要素であり、
前記第１データパケットで運ばれる情報は、前記第１ノードの第１プロトコル層を介して追加され、前記第１プロトコル層は、ＳＤＡＰ層の上に配置され、
前記第２データパケットで運ばれる情報は、前記第２ノードの第１プロトコル層を介して追加され、前記第１プロトコル層は、ＧＴＰ−Ｕ層の上に配置される、
請求項１ないし４のいずれか一項に記載の情報伝送方法。
【請求項７】
前記第１ノードは第１コアネットワーク要素であり、前記第２ノードは第１アクセスネットワーク要素であり、
前記第１データパケットで運ばれる情報は、前記第１ノードのＧＴＰ−Ｕ層を介して追加され、
前記第２データパケットで運ばれる情報は、前記第２ノードのＧＴＰ−Ｕ層を介して追加される、
請求項１ないし４のいずれか一項に記載の情報伝送方法。
【請求項８】
前記方法は、
前記第１ノードが、第２コアネットワーク要素から第１ルールを取得し、前記第１ルールに基づいて、測定によって得られた遅延情報および／または第１通知メッセージを報告することをさらに含む、
請求項１ないし７のいずれか一項に記載の情報伝送方法。
【請求項９】
情報伝送方法であって、
端末が、第１データパケットを受信することであって、前記第１データパケットは、前記第１データパケットを送信する第１タイムスタンプ情報を運ぶことと、
前記端末が、前記第１データパケットの第１プロトコル層で運ばれる第１タイムスタンプ情報および前記第１データパケットを受信する第２タイムスタンプ情報に基づいて、コアネットワーク要素のユーザプレーン機能（ＵＰＦ）エンティティと前記端末との間の遅延情報を計算することとを含み、
前記第１データパケットで運ばれる第１タイムスタンプ情報は、前記ＵＰＦエンティティの第１プロトコル層によって追加され、前記第１プロトコル層は、汎用パケット無線サービストンネリングプロトコル−ユーザプレーン層およびサービスデータ適応プロトコル層（ＳＤＡＰ）の上に配置され、前記第１データパケットは、アクセスネットワーク（ＡＮ）を介して前記端末に透過的に送信される、前記情報伝送方法。
【請求項１０】
前記第１データパケットは、第１識別情報を運び、前記第１識別情報は、前記第１データパケットが遅延測定用であることを指示する、
請求項９に記載の情報伝送方法。
【請求項１１】
情報伝送装置であって、第１ノードに適用され、
第１データパケットを第２ノードに送信し、および／または第２ノードによって返信される第２データパケットを受信するように構成される伝送ユニットを備え、前記第１データパケットは、一方向遅延測定を実行するために使用され、前記第２データパケットは、往復遅延測定を実行するために使用される、前記情報伝送装置。
【請求項１２】
前記第１データパケットは、第１識別情報、第２識別情報、第１シーケンス番号情報、第１タイムスタンプ情報のうちの少なくとも１つを運び、前記第１識別情報は、前記第１データパケットが測定用であることを指示し、前記第２識別情報は、前記第１データパケットを受信した後に第２データパケットを返信するように第２ノードを指示し、前記第１シーケンス番号情報は、前記第１データパケットを識別するために使用され、前記第１タイムスタンプ情報は、前記第１ノードが前記第１データパケットを送信したときの時間情報を指示する、
請求項１１に記載の情報伝送装置。
【請求項１３】
前記第２データパケットは、第１識別情報、第２識別情報、第２シーケンス番号情報、第１タイムスタンプ情報、第２タイムスタンプ情報のうちの少なくとも１つを運び、前記第２シーケンス番号情報は、前記第２データパケットを識別するために使用され、前記第２シーケンス番号情報は、前記第１シーケンス番号情報と同じであるかまたは前記第１シーケンス番号情報と対応関係を有し、前記第２タイムスタンプ情報は、前記第２ノードが前記第２データパケットを前記第１ノードに送信したときの時間情報および／または前記第１ノードから前記第１データパケットを受信したときの時間情報を指示する、
請求項１２に記載の情報伝送装置。
【請求項１４】
前記装置は、
前記第１タイムスタンプ情報および第３タイムスタンプ情報に基づいて、前記第１ノードと前記第２ノードとの間の遅延情報を決定し、および／または、前記第１タイムスタンプ情報および第２タイムスタンプ情報、または前記第３タイムスタンプ情報および第２タイムスタンプ情報に基づいて、前記第１ノードと前記第２ノードとの間の遅延情報を決定するように構成される処理ユニットをさらに備え、前記第３タイムスタンプ情報は、前記第１ノードが前記第２データパケットを受信したときの時間情報を指示する、
請求項１３に記載の情報伝送装置。
【請求項１５】
前記装置はさらに、
第２コアネットワーク要素から第１ルールを取得するように構成される取得ユニットと、
前記第１ルールに基づいて、測定によって得られた遅延情報および／または第１通知メッセージを報告するように構成される報告ユニットと、を備える、
請求項１１ないし１４のいずれか一項に記載の情報伝送装置。
【請求項１６】
情報伝送装置であって、端末に適用され、
第１データパケットを受信するように構成される伝送ユニットであって、前記第１データパケットは、前記第１データパケットを送信する第１タイムスタンプ情報を運ぶ伝送ユニットと、
前記第１データパケットの第１プロトコル層で運ばれる第１タイムスタンプ情報および前記第１データパケットを受信する第２タイムスタンプ情報に基づいて、コアネットワーク要素のユーザプレーン機能（ＵＰＦ）エンティティと前記端末との間の遅延情報を計算するように構成される処理ユニットと、を備え、
前記第１データパケットで運ばれる第１タイムスタンプ情報は、前記ＵＰＦエンティティの第１プロトコル層によって追加され、前記第１プロトコル層は、汎用パケット無線サービストンネリングプロトコル−ユーザプレーン層およびサービスデータ適応プロトコル層（ＳＤＡＰ）の上に配置され、前記第１データパケットは、アクセスネットワーク（ＡＮ）を介して前記端末に透過的に送信される、前記情報伝送装置。
【国際調査報告】
2021536167.tif 000017
2021536167.tif 000018
2021536167.tif 000019
2021536167.tif 000020